(57)【要約】      （修正有）【課題】カバレッジ拡張モードにおいて、ダウンリンク上で受信されたＴＡＣが適用されるとき、ネットワークノードの受信性能の劣化を抑える。【解決手段】拡張カバレッジモードが、ワイヤレス通信デバイスからネットワークノードに送られるメッセージの連続繰返しを含む。ネットワークノードからタイミングアドバンスコマンド（ＴＡＣ）を受信することと、ＴＡＣが適用される時間を適応させることであって、ＴＡＣが適用される時間とＴＡＣが受信される時間との間の時間差が、使用される無線アクセス技術のタイプに応じた指定された時間よりも大きいかまたはそれに等しいものとし、したがって、ＴＡＣの適用が、繰返しアップリンク送信の第１のサブフレームの後、繰返しアップリンク送信の終了までの期間中に発生しない。【選択図】図５
2020109969.tif 000002
【特許請求の範囲】
【請求項１】
ワイヤレス通信デバイスとネットワークノードとを備えるワイヤレス通信システムであって、前記ワイヤレス通信デバイスが、拡張カバレッジモードにおいて動作し、前記拡張カバレッジモードが、前記ワイヤレス通信デバイスから前記ネットワークノードに送られるメッセージの連続繰返しを含み、
前記ネットワークノードが、前記ワイヤレス通信デバイスにタイミングアドバンスコマンド（ＴＡＣ）を送るように設定された送信機を含み、
前記ワイヤレス通信デバイスは、
前記ネットワークノードから前記ＴＡＣを受信するように設定された受信機と、
前記ＴＡＣが適用される時間を適応させるように設定された処理回路であって、前記ＴＡＣが適用される前記時間と前記ＴＡＣが受信される時間との間の時間差が、使用される無線アクセス技術（ＲＡＴ）のタイプに応じた指定された時間よりも大きいかまたはそれに等しいものとし、前記ＴＡＣの適用が、繰返しアップリンク送信の第１のサブフレームの後、前記繰返しアップリンク送信の終了までの期間中に発生しないものとする、処理回路と
を含む、
ワイヤレス通信システム。
【請求項２】
前記処理回路は、
前記ＴＡＣが受信されたサブフレームｎを判定すること、および、サブフレームの数ｍの形式で、前記サブフレームｎと第１の繰返しアップリンク送信の第１のサブフレームｋとの間の時間差を判定することと、
サブフレームｎ＋ｑ中の前記ＴＡＣの適用が、前記第１のサブフレームの後に前記第１の繰返しアップリンク送信の前記終了まで発生することになるかどうかを決定すること、およびそれぞれの決定を出力することと、ここで、ｑが、サブフレームの数の形式で、前記使用される無線アクセス技術（ＲＡＴ）の前記タイプに応じた前記指定された時間を表しており、
前記決定に従って前記ＴＡＣを適用することと
を行うようにさらに設定された、請求項１に記載のワイヤレス通信システム。
【請求項３】
ｍがｑよりも大きいかまたはそれに等しい場合、前記ＴＡＣが、前記第１のサブフレームｋにおいて適用される、請求項２に記載のワイヤレス通信システム。
【請求項４】
前記ワイヤレス通信デバイスは、１つのアップリンク信号のみ、またはその繰返し期間が時間的に互いと重複しない少なくとも２つのアップリンク信号を送信するように設定された送信機をさらに含み、ｍがｑよりも小さい場合、前記ＴＡＣは、ｓがｓ≧ｎ＋ｑを満足する第１の繰返しアップリンク送信期間の第１のサブフレームを表すサブフレームｓにおいて適用される、請求項２に記載のワイヤレス通信システム。
【請求項５】
前記ワイヤレス通信デバイスは、その繰返し期間が時間的に互いと部分的に重複する少なくとも２つのアップリンク信号を送信するように設定された送信機をさらに含み、前記ＴＡＣが、前記少なくとも２つのアップリンク信号のうちの他のアップリンク信号の繰返し期間と時間的に重複しない、前記少なくとも２つのアップリンク信号のうちのいずれか１つの第１の繰返し期間の第１のサブフレームにおいて適用され、前記第１の繰返し期間は、前記ＴＡＣの受信と前記第１の繰返し期間の開始との間の時間差がｑよりも大きいという基準を満たす、請求項２に記載のワイヤレス通信システム。
【請求項６】
前記送信機が、異なる繰返し期間（Ｔａ、Ｔｂ）をもつ複数のアップリンク信号を送信するように設定され、前記処理回路は、前記繰返し期間（Ｔａ、Ｔｂ）の重複時間が最大化されるかまたは前記複数のアップリンク信号の単一の送信が最小化されるように、前記繰返し期間（Ｔａ、Ｔｂ）の開始点または終了点のうちの少なくとも１つを時間的にシフトすることによって、前記繰返し期間を整合させるように設定された、請求項５に記載のワイヤレス通信システム。
【請求項７】
前記繰返し期間（Ｔａ、Ｔｂ）が、以下のルール、すなわち、
前記繰返し期間を同時に開始するように整合させること、
前記繰返し期間を同時に終了するように整合させること、
前記繰返し期間をある持続時間Δ１内に開始するように整合させること、および
前記繰返し期間をある持続時間Δ２内に終了するように整合させること
のうちのいずれか１つから整合される、請求項６に記載のワイヤレス通信システム。
【請求項８】
ｑ＝６である、請求項２から７のいずれか一項に記載のワイヤレス通信システム。
【請求項９】
前記ワイヤレス通信デバイスが、複数のＴＡＣを直ちに考慮に入れることが可能でないかまたは禁止されている間に、前記複数のＴＡＣを受信し、前記処理回路が、最後の受信されたＴＡＣのみを適用するように設定された、請求項１から８のいずれか一項に記載のワイヤレス通信システム。
【請求項１０】
前記ワイヤレス通信デバイスが、複数のＴＡＣを直ちに考慮に入れることが可能でないかまたは禁止されている間に、前記複数のＴＡＣを受信し、
前記処理回路が、
前記複数のＴＡＣを加算することと、
前記加算された複数のＴＡＣを適用することと
を行うようにさらに設定された、請求項１から８のいずれか一項に記載のワイヤレス通信システム。
【請求項１１】
前記ワイヤレス通信デバイスが、複数のＴＡＣを直ちに考慮に入れることが可能でないかまたは禁止されている間に、前記複数のＴＡＣを受信し、前記処理回路は、
前記複数のＴＡＣを加算することと、
前記複数のＴＡＣを複数の別個の増分に分割することであって、各増分が、許容される最大タイミングアドバンス調整よりも大きくない、分割することと、
前記複数の増分を、それぞれ、複数のプロセス中のＴＡＣとして適用することと
を行うようにさらに設定された、請求項１から８のいずれか一項に記載のワイヤレス通信システム。
【請求項１２】
前記ネットワークノードは、
異なる繰返し期間（Ｔａ、Ｔｂ）をもつ複数のアップリンク信号を送信するように前記ワイヤレス通信デバイスを設定することと、
前記繰返し期間（Ｔａ、Ｔｂ）の前記重複時間が最大化されるかまたは前記複数のアップリンク信号の単一の送信が最小化されるように、前記繰返し期間（Ｔａ、Ｔｂ）の前記開始点または前記終了点のうちの少なくとも１つを時間的にシフトすることによって、前記繰返し期間を整合させるように前記ワイヤレス通信デバイスを設定することと
を行うように設定された設定ユニットをさらに含む、請求項１に記載のワイヤレス通信システム。
【請求項１３】
前記繰返し期間（Ｔａ、Ｔｂ）が、以下のルール、すなわち、
前記繰返し期間を同時に開始するように整合させること、
前記繰返し期間を同時に終了するように整合させること、
前記繰返し期間をある持続時間内に開始するように整合させること、および
前記繰返し期間をある持続時間内に終了するように整合させること
のうちのいずれか１つから整合される、請求項１２に記載のワイヤレス通信システム。
【請求項１４】
前記ネットワークノードが、前記ワイヤレス通信デバイスによって使用されるべきＴＡＣを生成するように設定された処理回路をさらに含み、前記ネットワークノードの前記送信機が、前記生成されたＴＡＣを前記ワイヤレス通信デバイスに送るように設定された、請求項１から１３のいずれか一項に記載のワイヤレス通信システム。
【請求項１５】
拡張カバレッジモードにおいて動作するワイヤレス通信デバイスにおける方法であって、前記拡張カバレッジモードが、前記ワイヤレス通信デバイスからネットワークノードに送られるメッセージの連続繰返しを含み、前記方法は、
前記ネットワークノードからタイミングアドバンスコマンド（ＴＡＣ）を受信することと、
前記ＴＡＣが適用される時間を適応させることであって、前記ＴＡＣが適用される前記時間と前記ＴＡＣが受信される時間との間の時間差が、使用される無線アクセス技術のタイプに応じた指定された時間よりも大きいかまたはそれに等しいものとし、前記ＴＡＣの適用が、繰返しアップリンク送信の第１のサブフレームの後、前記繰返しアップリンク送信の終了までの期間中に発生しないものとする、適応させることと
を含む、方法。
【請求項１６】
前記適応させることは、
前記ＴＡＣが受信されたサブフレームｎを判定することと、
サブフレームの数ｍの形式で、前記サブフレームｎと第１の繰返しアップリンク送信の第１のサブフレームｋとの間の時間差を判定することと、
サブフレームｎ＋ｑ中の前記ＴＡＣの適用が、前記第１のサブフレームの後に前記第１の繰返しアップリンク送信の前記終了まで発生することになるかどうかを決定することと、ここで、ｑが、サブフレームの数の形式で、前記使用される無線アクセス技術（ＲＡＴ）の前記タイプに応じた前記指定された時間を表しており、
前記決定することに従って前記ＴＡＣを適用することと
をさらに含む、請求項１５に記載の方法。
【請求項１７】
ｍがｑよりも大きいかまたはそれに等しい場合、前記ＴＡＣが、前記第１のサブフレームｋにおいて適用されるものとする、請求項１６に記載の方法。
【請求項１８】
前記ワイヤレス通信デバイスは、１つのアップリンク信号のみ、またはその繰返し期間が時間的に互いと重複しない少なくとも２つのアップリンク信号を送信するように設定され、ｍがｑよりも小さい場合、前記ＴＡＣは、ｓがｓ≧ｎ＋ｑを満足する第１の繰返しアップリンク送信期間の第１のサブフレームを表すサブフレームｓにおいて適用されるものとする、請求項１６に記載の方法。
【請求項１９】
前記ワイヤレス通信デバイスは、その繰返し期間が時間的に互いと部分的に重複する少なくとも２つのアップリンク信号を送信するように設定され、前記ＴＡＣが、前記少なくとも２つのアップリンク信号のうちの他のアップリンク信号の繰返し期間と時間的に重複しない、前記少なくとも２つのアップリンク信号のうちのいずれか１つの第１の繰返し期間の第１のサブフレームにおいて適用されるものとし、前記第１の繰返し期間は、前記ＴＡＣの受信と前記第１の繰返し期間の開始との間の時間差がｑよりも大きいという基準を満たす、請求項１６に記載の方法。
【請求項２０】
前記ワイヤレス通信デバイスが、異なる繰返し期間（Ｔａ、Ｔｂ）をもつ複数のアップリンク信号を送信するように設定され、前記ワイヤレス通信デバイスは、前記繰返し期間（Ｔａ、Ｔｂ）の重複時間が最大化されるかまたは前記複数のアップリンク信号の単一の送信が最小化されるように、前記繰返し期間（Ｔａ、Ｔｂ）の開始点または終了点のうちの少なくとも１つを時間的にシフトすることによって、前記繰返し期間を整合させるようにさらに設定された、請求項１９に記載の方法。
【請求項２１】
前記繰返し期間（Ｔａ、Ｔｂ）が、以下のルール、すなわち、
前記繰返し期間を同時に開始するように整合させること、
前記繰返し期間を同時に終了するように整合させること、
前記繰返し期間をある持続時間Δ１内に開始するように整合させること、および
前記繰返し期間をある持続時間Δ２内に終了するように整合させること
のうちのいずれか１つから整合される、請求項２０に記載の方法。
【請求項２２】
ｑ＝６である、請求項１６から２１のいずれか一項に記載の方法。
【請求項２３】
前記ワイヤレス通信デバイスが、複数のＴＡＣを直ちに考慮に入れることが可能でないかまたは禁止されている間に、前記複数のＴＡＣを受信し、前記方法が、最後の受信されたＴＡＣのみを適用することをさらに含む、請求項１５から２２のいずれか一項に記載の方法。
【請求項２４】
前記ワイヤレス通信デバイスが、複数のＴＡＣを直ちに考慮に入れることが可能でないかまたは禁止されている間に、前記複数のＴＡＣを受信し、前記方法が、前記複数のＴＡＣを加算することと、前記加算された複数のＴＡＣを適用することとをさらに含む、請求項１５から２２のいずれか一項に記載の方法。
【請求項２５】
前記ワイヤレス通信デバイスが、複数のＴＡＣを直ちに考慮に入れることが可能でないかまたは禁止されている間に、前記複数のＴＡＣを受信し、前記方法は、
前記複数のＴＡＣを加算することと、
前記複数のＴＡＣを複数の別個の増分に分割することであって、各増分が、許容される最大タイミングアドバンス調整よりも大きくない、分割することと、
前記複数の増分を複数のステップ中のＴＡＣとして適用することと
をさらに含む、請求項１５から２２のいずれか一項に記載の方法。
【請求項２６】
前記ワイヤレス通信デバイスが、エボルブドマシン型通信（ｅＭＴＣ）デバイスまたは狭帯域モノのインターネット（ＮＢ−ＩｏＴ）デバイスである、請求項１５から２５のいずれか一項に記載の方法。
【請求項２７】
前記ワイヤレス通信デバイスと前記ネットワークノードとが、半二重周波数分割複信（ＨＤ−ＦＤＤ）モードにおいて動作する、請求項１５から２６のいずれか一項に記載の方法。
【請求項２８】
前記ワイヤレス通信デバイスと前記ネットワークノードとが、カバレッジ拡張モードＡまたはカバレッジ拡張モードＢにおいて動作し、カバレッジ拡張モードＡにおいて、１つの信号が繰返し期間中に最高３２回繰り返され、カバレッジ拡張モードＢにおいて、１つの信号が繰返し期間中に最高２０４８回繰り返される、請求項１５から２７のいずれか一項に記載の方法。
【請求項２９】
拡張カバレッジモードにおいて動作するワイヤレス通信デバイスと通信しているネットワークノードにおける方法であって、前記拡張カバレッジモードが、前記ワイヤレス通信デバイスから前記ネットワークノードに送られるメッセージの連続繰返しを含み、前記方法は、
異なる繰返し期間（Ｔａ、Ｔｂ）をもつ複数のアップリンク信号を送信するように前記ワイヤレス通信デバイスを設定することと、
前記繰返し期間（Ｔａ、Ｔｂ）の重複時間が最大化されるかまたは前記複数のアップリンク信号の単一の送信が最小化されるように、前記繰返し期間（Ｔａ、Ｔｂ）の開始点または終了点のうちの少なくとも１つを時間的にシフトすることによって、前記繰返し期間を整合させるように前記ワイヤレス通信デバイスを設定することと
を含む、方法。
【請求項３０】
前記繰返し期間（Ｔａ、Ｔｂ）が、以下のルール、すなわち、
前記繰返し期間を同時に開始するように整合させること、
前記繰返し期間を同時に終了するように整合させること、
前記繰返し期間をある持続時間内に開始するように整合させること、および
前記繰返し期間をある持続時間内に終了するように整合させること
のうちのいずれか１つから整合される、請求項２９に記載の方法。
【請求項３１】
前記方法が、
前記ワイヤレス通信デバイスによって使用されるべきタイミングアドバンスコマンド（ＴＡＣ）を生成することと、
前記ワイヤレス通信デバイスに前記ＴＡＣを送ることと
をさらに含む、請求項２９から３０のいずれか一項に記載の方法。
【請求項３２】
拡張カバレッジモードにおいて動作するワイヤレス通信デバイスであって、前記拡張カバレッジモードが、前記ワイヤレス通信デバイスからネットワークノードに送られるメッセージの連続繰返しを含み、前記ワイヤレス通信デバイスは、
前記ネットワークノードからタイミングアドバンスコマンド（ＴＡＣ）を受信するように設定された受信機と、
前記ＴＡＣが適用される時間を適応させるように設定された処理回路であって、前記ＴＡＣが適用される前記時間と前記ＴＡＣが受信される時間との間の時間差が、使用される無線アクセス技術のタイプに応じた指定された時間よりも大きいかまたはそれに等しいものとし、前記ＴＡＣの適用が、繰返しアップリンク送信の第１のサブフレームの後、前記繰返しアップリンク送信の終了までの期間中に発生しないものとする、処理回路と
を含む、ワイヤレス通信デバイス。
【請求項３３】
前記処理回路は、
前記ＴＡＣが受信されたサブフレームｎを判定すること、および、サブフレームの数ｍの形式で、前記サブフレームｎと第１の繰返しアップリンク送信の第１のサブフレームｋとの間の時間差を判定することと、
サブフレームｎ＋ｑ中の前記ＴＡＣの適用が、前記第１のサブフレームの後に前記第１の繰返しアップリンク送信の前記終了まで発生することになるかどうかを決定すること、およびそれぞれの決定を出力することと、ここで、ｑが、サブフレームの数の形式で、使用される無線アクセス技術（ＲＡＴ）の前記タイプに応じた前記指定された時間を表しており、
前記決定に従って前記ＴＡＣを適用することと
を行うように設定された、請求項３２に記載のワイヤレス通信デバイス。
【請求項３４】
前記処理回路が、ｍがｑよりも大きいかまたはそれに等しい場合、前記第１のサブフレームｋ中で前記ＴＡＣを適用するように設定された、請求項３３に記載のワイヤレス通信デバイス。
【請求項３５】
前記ワイヤレス通信デバイスは、１つのアップリンク信号のみ、またはその繰返し期間が時間的に互いと重複しない少なくとも２つのアップリンク信号を送信するように設定された送信機をさらに含み、前記処理回路は、ｍがｑよりも小さい場合、ｓがｓ≧ｎ＋ｑを満足する第１の繰返しアップリンク送信期間の第１のサブフレームを表すサブフレームｓにおいて前記ＴＡＣを適用するように設定された、請求項３３に記載のワイヤレス通信デバイス。
【請求項３６】
前記ワイヤレス通信デバイスは、その繰返し期間が時間的に互いと部分的に重複する少なくとも２つのアップリンク信号を送信するように設定された送信機をさらに含み、前記処理回路が、前記少なくとも２つのアップリンク信号のうちの他のアップリンク信号の繰返し期間と時間的に重複しない、前記少なくとも２つのアップリンク信号のうちのいずれか１つの第１の繰返し期間の第１のサブフレームにおいて前記ＴＡＣを適用するように設定され、前記第１の繰返し期間は、前記ＴＡＣの受信と前記第１の繰返し期間の開始との間の時間差がｑよりも大きいという基準を満たす、請求項３３に記載のワイヤレス通信デバイス。
【請求項３７】
前記送信機が、異なる繰返し期間（Ｔａ、Ｔｂ）をもつ複数のアップリンク信号を送信するように設定され、前記処理回路は、前記繰返し期間（Ｔａ、Ｔｂ）の重複時間が最大化されるかまたは前記複数のアップリンク信号の単一の送信が最小化されるように、前記繰返し期間（Ｔａ、Ｔｂ）の開始点または終了点のうちの少なくとも１つを時間的にシフトすることによって、前記繰返し期間を整合させるようにさらに設定された、請求項３６に記載のワイヤレス通信デバイス。
【請求項３８】
前記処理回路が、以下のルール、すなわち、
前記繰返し期間を同時に開始するように整合させること、
前記繰返し期間を同時に終了するように整合させること、
前記繰返し期間をある持続時間Δ１内に開始するように整合させること、および
前記繰返し期間をある持続時間Δ２内に終了するように整合させること
のうちのいずれか１つに従って前記繰返し期間（Ｔａ、Ｔｂ）を整合させるように設定された、請求項３７に記載のワイヤレス通信デバイス。
【請求項３９】
ｑ＝６である、請求項３３から３８のいずれか一項に記載のワイヤレス通信デバイス。
【請求項４０】
前記処理回路は、前記ワイヤレス通信デバイスが、複数のＴＡＣを直ちに考慮に入れることが可能でないかまたは禁止されている間に、前記複数のＴＡＣを受信する場合、最後の受信されたＴＡＣのみを適用するように設定された、請求項３２から３９のいずれか一項に記載のワイヤレス通信デバイス。
【請求項４１】
前記処理回路は、前記ワイヤレス通信デバイスが、複数のＴＡＣを直ちに考慮に入れることが可能でないかまたは禁止されている間に、前記複数のＴＡＣを受信する場合、前記複数のＴＡＣを加算することと、前記加算された複数のＴＡＣを適用することとを行うように設定された、請求項３２から３９のいずれか一項に記載のワイヤレス通信デバイス。
【請求項４２】
前記処理回路は、前記ワイヤレス通信デバイスが、複数のＴＡＣを直ちに考慮に入れることが可能でないかまたは禁止されている間に、前記複数のＴＡＣを受信する場合、前記複数のＴＡＣを加算することと、前記複数のＴＡＣを複数の別個の増分に分割することであって、各増分が、許容される最大タイミングアドバンス調整よりも大きくない、分割することと、前記複数の増分を、それぞれ、複数のプロセス中のＴＡＣとして適用することとを行うように設定された、請求項３２から３９のいずれか一項に記載のワイヤレス通信デバイス。
【請求項４３】
前記ワイヤレス通信デバイスが、エボルブドマシン型通信（ｅＭＴＣ）デバイスまたは狭帯域モノのインターネット（ＮＢ−ＩｏＴ）デバイスである、請求項３２から４２のいずれか一項に記載のワイヤレス通信デバイス。
【請求項４４】
拡張カバレッジモードにおいて動作するワイヤレス通信デバイスとの通信において使用するためのネットワークノードであって、前記拡張カバレッジモードが、前記ワイヤレス通信デバイスから前記ネットワークノードに送られるメッセージの連続繰返しを含み、前記ネットワークノードは、
異なる繰返し期間（Ｔａ、Ｔｂ）をもつ複数のアップリンク信号を送信するように前記ワイヤレス通信デバイスを設定することと、
前記繰返し期間（Ｔａ、Ｔｂ）の重複時間が最大化されるかまたは前記複数のアップリンク信号の単一の送信が最小化されるように、前記繰返し期間（Ｔａ、Ｔｂ）の開始点または終了点のうちの少なくとも１つを時間的にシフトすることによって、前記繰返し期間を整合させるように前記ワイヤレス通信デバイスを設定することと
を行うように設定された処理回路を備える、ネットワークノード。
【請求項４５】
前記繰返し期間（Ｔａ、Ｔｂ）が、以下のルール、すなわち、
前記繰返し期間を同時に開始するように整合させること、
前記繰返し期間を同時に終了するように整合させること、
前記繰返し期間をある持続時間内に開始するように整合させること、および
前記繰返し期間をある持続時間内に終了するように整合させること
のうちのいずれか１つに従って整合される、請求項４４に記載のネットワークノード。
【請求項４６】
前記処理回路が、前記ワイヤレス通信デバイスによって使用されるべきタイミングアドバンスコマンド（ＴＡＣ）を生成するようにさらに設定され、前記ネットワークノードが、前記ワイヤレス通信デバイスに前記生成されたＴＡＣを送るように設定された送信機をさらに備える、請求項４４から４５のいずれか一項に記載のネットワークノード。
【発明の詳細な説明】
【技術分野】
【０００１】
本明細書の実施形態は、一般に、ワイヤレス通信システム、ワイヤレス通信デバイスにおける方法、ネットワークノードにおける方法、ワイヤレス通信デバイス、およびネットワークノードに関する。より詳細には、本明細書の実施形態は、拡張カバレッジ（ＣＥ）モードにおけるワイヤレス通信デバイスにおけるタイミングアドバンスコマンド（ＴＡＣ）の適用に関する。
【背景技術】
【０００２】
ワイヤレス通信デバイス、たとえば、エボルブドマシン型通信（ｅＭＴＣ）デバイスまたは狭帯域モノのインターネット（ＮＢ−ＩｏＴ）デバイスは、カバレッジ拡張モードにおいて動作し得る。カバレッジ拡張モードは、前記デバイスとネットワークノード（たとえばｅノードＢまたは基地局）との間で送信されるメッセージの後続の繰返しによって実装される。
【０００３】
３ＧＰＰ  ＴＳ  ３６．１３３  Ｖ１２．１０．０、節７．３．２．１は、タイミングアドバンスコマンドが適用されるべきであるときに関して、ＵＥが、サブフレームｎ中で受信されたタイミングアドバンスコマンドについて、サブフレームｎ＋６において、ＵＥのアップリンク送信タイミングのタイミングを調整するものとすることを明記している。タイミングアドバンスは、ＨＤ−ＦＤＤ  ｅＭＴＣデバイスの場合、Ｍ−ＰＤＣＣＨの最後の繰返し中で、すなわち、サブフレームｎ中で受信されたと見なされる。したがって、３ＧＰＰ  ＴＳ３６．１３３において明記されているルールによれば、送信タイミングは、それゆえ、サブフレームｎ＋６中で受信されたＴＡＣに従って調整される。
【発明の概要】
【０００４】
カバレッジ拡張モードにおいて従来の手法が適用される場合、ダウンリンク上で受信されたＴＡＣが適用されるとき、ネットワークノードの受信性能が劣化する可能性がある。特に、ＴＡＣが始まり（すなわち、第１のサブフレーム）の後にアップリンク送信の終了まで適用される場合、ネットワークノード側の累積参照信号またはメッセージは、ＴＡＣの結果としてアップリンク送信タイミングが変更されるときに生じる線形位相変化によって損なわれることになる。たとえば、連続繰返しにわたるコヒーレント平均化またはフィルタ処理に基づき得るチャネル推定値がひずむことになり、劣化した復号性能を生じる。
【０００５】
したがって、カバレッジ拡張モードにおいて動作するワイヤレス通信デバイス（たとえば、ｅＭＴＣデバイスおよびＮＢ−ＩｏＴデバイス）におけるＴＡＣの適用のための新しいルールが必要である。
【０００６】
それゆえ、本明細書で開示される技法および装置のうちのいくつかの目的は、上記の欠点のうちの少なくとも１つをなくし、ワイヤレス通信システムにおけるｅＭＴＣまたはＮＢ−ＩｏＴなどのワイヤレス通信デバイスと、ネットワークノードとの間の改善された通信を提供することである。
【０００７】
本開示の技法および装置の一態様によれば、この目的は、ワイヤレス通信デバイスとネットワークノードとを含むワイヤレス通信システムであって、ワイヤレス通信デバイスが、拡張カバレッジモードにおいて動作し、拡張カバレッジモードが、ワイヤレス通信デバイスからネットワークノードに送られるメッセージの連続繰返しを含む、ワイヤレス通信システムによって達成される。ネットワークノードは、ワイヤレス通信デバイスにＴＡＣを送るように設定された送信ユニットを含む。ワイヤレス通信デバイスは、ネットワークノードからＴＡＣを受信するように設定された受信ユニットと、ＴＡＣが適用される時間を適応させるように設定された適応ユニットとを含む。ＴＡＣが適用される時間とＴＡＣが受信される時間との間の時間差が、使用される無線アクセス技術のタイプに応じた指定された時間よりも大きいかまたはそれに等しいものとし、ＴＡＣの適用が、繰返しアップリンク送信の第１のサブフレームの後、前記繰返しアップリンク送信の終了までの期間中に発生しないものとする。
【０００８】
別の態様によれば、本目的は、拡張カバレッジモードにおいて動作するワイヤレス通信デバイスにおける方法であって、拡張カバレッジモードが、ワイヤレス通信デバイスからネットワークノードに送られるメッセージの連続繰返しを含む、方法によって達成される。本方法は、ネットワークノードからＴＡＣを受信することと、ＴＡＣが適用される時間を適応させることとを含む。ＴＡＣが適用される時間とＴＡＣが受信される時間との間の時間差が、使用される無線アクセス技術のタイプに応じた指定された時間よりも大きいかまたはそれに等しいものとし、ＴＡＣの適用が、繰返しアップリンク送信の第１のサブフレームの後、前記繰返しアップリンク送信の終了までの期間中に発生しないものとする。
【０００９】
また別の態様によれば、本目的は、拡張カバレッジモードにおいて動作するワイヤレス通信デバイスと通信しているネットワークノードにおける方法であって、拡張カバレッジモードが、ワイヤレス通信デバイスからネットワークノードに送られるメッセージの連続繰返しを含む、方法によって達成される。本方法は、異なる繰返し期間をもつ複数のアップリンク信号を送信するようにワイヤレス通信デバイスを設定することと、繰返し期間の重複時間が最大化されるように、繰返し期間の開始点または終了点のうちの少なくとも１つを時間的にシフトすることによって、繰返し期間を整合させるようにワイヤレス通信デバイスを設定することとを含む。
【００１０】
また別の態様によれば、本目的は、拡張カバレッジモードにおいて動作するワイヤレス通信デバイスであって、拡張カバレッジモードが、ワイヤレス通信デバイスからネットワークノードに送られるメッセージの連続繰返しを含む、ワイヤレス通信デバイスによって達成される。本ワイヤレス通信デバイスは、ネットワークノードからＴＡＣを受信するように設定された受信ユニットと、ＴＡＣが適用される時間を適応させるように設定された適応ユニットとを含む。ＴＡＣが適用される時間とＴＡＣが受信される時間との間の時間差が、使用される無線アクセス技術のタイプに応じた指定された時間よりも大きいかまたはそれに等しいものとし、ＴＡＣの適用が、繰返しアップリンク送信の第１のサブフレームの後、前記繰返しアップリンク送信の終了までの期間中に発生しないものとする。
【００１１】
また別の態様によれば、本目的は、拡張カバレッジモードにおいて動作するワイヤレス通信デバイスと通信しているネットワークノードであって、拡張カバレッジモードが、ワイヤレス通信デバイスからネットワークノードに送られるメッセージの連続繰返しを含む、ネットワークノードによって達成される。本ネットワークノードは、異なる繰返し期間をもつ複数のアップリンク信号を送信するようにワイヤレス通信デバイスを設定することと、繰返し期間の重複時間が最大化されるように、繰返し期間の開始点または終了点のうちの少なくとも１つを時間的にシフトすることによって、繰返し期間を整合させるようにワイヤレス通信デバイスを設定することとを行うように設定された設定ユニットを含む。
【００１２】
また別の態様によれば、本目的は、ワイヤレス通信デバイスによって達成され、ワイヤレス通信デバイスは、ワイヤレス通信デバイスのための上記の方法を行うためのハードウェア回路で設定される。
【００１３】
また別の態様によれば、本目的は、繰返し期間の整合のためのワイヤレス通信デバイスの設定を行うためのハードウェア回路で設定されたネットワークノードによって達成される。
【００１４】
また別の態様によれば、本目的は、プロセッサによって実行されたとき、プロセッサに、上記の方法のうちのいずれか１つを行わせる命令を搬送するコンピュータ可読媒体によって達成される。
【００１５】
また別の態様によれば、本目的は、ワイヤレス通信デバイスまたはネットワークノードのプロセッサによってアクセス可能なコンピュータプログラムによって達成され、コンピュータプログラムは、プロセッサによって実行されたとき、プロセッサに上記の方法のうちのいずれか１つを行わせる。
【００１６】
本明細書の実施形態は多くの利点を与え、それらの例の非網羅的リストは以下の通りである。
【００１７】
タイミングアドバンスの適用のための既存のルールを適用することと比較して、システム性能が改善される。特に、アップリンク送信中のタイミングアドバンスの適用によるひずみが回避される。
【００１８】
複数のアップリンク信号の繰返し期間の間の整合は、ワイヤレス通信デバイスが、各アップリンク信号の繰返し期間の終了の後に直ちにまたはより短い遅延で、および時間リソースの発生の後すぐに、ワイヤレス通信デバイスのアップリンク送信タイミングを調整するために、受信されたＴＡＣコマンドを適用することを可能にする。
【００１９】
次に、本明細書の実施形態が、実施形態を示す添付の図面を参照することによって、以下の発明を実施するための形態においてさらにより詳細に説明される。
【図面の簡単な説明】
【００２０】
【図１】ワイヤレス通信システムの一実施形態を示す概略図である。
【図２】ワイヤレス通信デバイスの一実施形態を示す概略ブロック図である。
【図３】ワイヤレス通信デバイスと通信しているネットワークノードの一実施形態を示す概略ブロック図である。
【図４】ワイヤレス通信デバイスにおける方法の一実施形態を示すフローチャートである。
【図５】ネットワークノードにおける方法の一実施形態を示すフローチャートである。
【図６】ワイヤレス通信デバイスにおける動作の一実施形態を示す概略図である。
【図７】ワイヤレス通信デバイスにおける方法の一実施形態を示すフローチャートである。
【図８】ワイヤレス通信デバイスにおける整合動作の一実施形態を示す概略図であり、（ａ）は、その繰返し期間が時間的に互いと部分的に重複する、少なくとも２つのアップリンク信号を示し、（ｂ）および（ｃ）は、整合された信号を示す。
【図９】ネットワークノードの一実施形態を示す概略ブロック図である。
【図１０】ワイヤレス通信デバイスの一実施形態を示す概略ブロック図である。
【発明を実施するための形態】
【００２１】
実施形態が示されている添付の図面を参照しながら、本明細書の実施形態が以下で詳細に説明される。しかしながら、本明細書のこれらの実施形態は、多くの異なる形態で実施され得、本明細書に記載される実施形態に限定されるものとして解釈されるべきではない。図面の要素は、必ずしも互いに対して一定の縮尺であるとは限らない。同様の番号は、全体を通して同様の要素を指す。
【００２２】
本明細書で使用される用語は、特定の実施形態を説明するためのものにすぎず、限定するものではない。本明細書で使用される単数形「ａ」、「ａｎ」および「ｔｈｅ」は、文脈が別段に明確に示すのでなければ、複数形をも含むものとする。さらに、本明細書で使用される「備える、含む（ｃｏｍｐｒｉｓｅｓ）」、「備える、含む（ｃｏｍｐｒｉｓｉｎｇ）」、「含む（ｉｎｃｌｕｄｅｓ）」、および／または「含む（ｉｎｃｌｕｄｉｎｇ）」という用語は、述べられた特徴、整数、ステップ、動作、要素、および／または構成要素の存在を明示するが、１つまたは複数の他の特徴、整数、ステップ、動作、要素、構成要素、および／またはそれらのグループの存在または追加を排除しないことを理解されよう。
【００２３】
別段に規定されていない限り、本明細書で使用される（技術用語および科学用語を含む）すべての用語は、一般に理解されるものと同じ意味を有する。本明細書で使用される用語は、本明細書および関連技術の文脈におけるその用語の意味に従う意味を有するものとして解釈されるべきであり、明確にそのように本明細書で規定されない限り、理想的なまたは過度に形式的な意味において解釈されないことをさらに理解されよう。
【００２４】
本技術は、本実施形態による方法、ノード、デバイス（システム）および／またはコンピュータプログラム製品のブロック図および／またはフローチャート図を参照しながら以下で説明される。ブロック図および／またはフローチャート図のブロック、ならびにブロック図および／またはフローチャート図中のブロックの組合せが、コンピュータプログラム命令によって実施され得ることを理解されたい。これらのコンピュータプログラム命令は、汎用コンピュータ、専用コンピュータ、および／または機械を製造するための他のプログラマブルデータ処理装置のプロセッサ、コントローラまたは制御ユニットに与えられ得、その結果、コンピュータおよび／または他のプログラマブルデータ処理装置のプロセッサを介して実行される命令は、ブロック図および／またはフローチャートの１つまたは複数のブロックにおいて指定された機能／動作を実装するための手段を作成する。
【００２５】
したがって、本技術は、ハードウェアでおよび／または（ファームウェア、常駐ソフトウェア、マイクロコードなどを含む）ソフトウェアで実施され得る。さらに、本技術は、命令実行システムによるまたは命令実行システムに関連する使用のために媒体で実施される、コンピュータ使用可能コードまたはコンピュータ可読プログラムコードを有するコンピュータ使用可能記憶媒体またはコンピュータ可読記憶媒体上のコンピュータプログラム製品の形態をとり得る。本明細書の文脈では、コンピュータ使用可能媒体またはコンピュータ可読媒体は、命令実行システム、装置、またはデバイスによるまたはこれらに関連する使用のためのプログラムを含んでいるか、記憶するか、通信するか、伝搬するか、またはトランスポートし得る任意の媒体であり得る。
【００２６】
異なるリソース解放理由に基づく、ＢＳおよびＵＥによって実施されるリソース解放方法が、以下の図に概略的に示されることに留意されたい。たとえば、フローチャートまたは流れ図の形態の、本明細書で示される１つまたは複数の方法は、説明を簡単にするために、一連のステップとして示され、説明されるが、いくつかのステップは、それに従って、本明細書で示され、説明される順序とは異なる順序でおよび／または他の行為と同時に発生し得るので、方法は、文脈が別段に明確に示すのでなければ、ステップの図示または説明される順序に限定されないことを理解し、諒解されたいことに留意されたい。当業者にとって、本開示の趣旨および範囲から逸脱することなく、異なる図において説明される方法に対応するステップの異なる置換または組合せを意味する、本方法の改変、変更および変形を実装することが、当業者が本開示を読めば明らかであることが諒解されよう。
【００２７】
本明細書の実施形態は、カバレッジ拡張モードにおいて動作するワイヤレス通信デバイス（たとえばｅＭＴＣデバイスおよびＮＢ−ＩｏＴデバイス）におけるＴＡＣの適用のための新しいルールを提供する。本明細書の実施形態のいくつかの技術的文脈が、最初に導入される。
【００２８】
ｅＭＴＣ
寄与文書３ＧＰＰ  ＲＰ−１５２０２４および３ＧＰＰ  Ｒ１−１５７９２６として３ＧＰＰによって識別される３ＧＰＰ技術的寄与において明記されているｅＭＴＣ特徴は、ＵＥカテゴリーＭ１（または略してＣａｔ−Ｍ１）と呼ばれる低複雑度ユーザ機器（ＵＥ）カテゴリーと、ＵＥカテゴリーＭ１または他のＬＴＥ  ＵＥカテゴリーとともに使用され得るカバレッジ拡張技法（ＣＥモードＡおよびＣＥモードＢ）とを含む。
【００２９】
３ＧＰＰ  ＴＳ３６．１３３  Ｖ１２．７．０  セクション７．１．２において規定されている、Ｃａｔ−Ｍ１とＣＥモードＡおよびＣＥモードＢとの両方のためのすべてのｅＭＴＣ特徴は、通常ＬＴＥと比較して低減された最大チャネル帯域幅を使用して動作する。ｅＭＴＣにおける最大チャネル帯域幅は１．４ＭＨｚであるが、通常ＬＴＥでは最大チャネル帯域幅は最高２０ＭＨｚである。ｅＭＴＣ  ＵＥは、さらに、概して問題なしに、より大きいＬＴＥシステム帯域幅内で動作することが可能である。通常ＬＴＥ  ＵＥと比較した主要な差は、ｅＭＴＣが、一度に６つの物理リソースブロック（ＰＲＢ）のみを用いてスケジュールされ得ることであり、ここで、これらのＰＲＢの各々は１８０ｋＨｚの帯域幅を有する。
【００３０】
ＣＥモードＡおよびＣＥモードＢでは、物理チャネルのカバレッジが、様々なカバレッジ拡張技法を通して拡張されており、最も重要なものは、繰返しまたは再送信である。その最も単純な形態では、これは、送信されるべき１ミリ秒サブフレームが、何回か繰り返され、たとえば、小さいカバレッジ拡張が必要とされる場合はわずか数回繰り返され、あるいは大きいカバレッジ拡張が必要とされる場合は数百回または数千回繰り返されることを意味する。
【００３１】
ＮＢ−ＩｏＴ
３ＧＰＰの狭帯域モノのインターネット（ＮＢ−ＩｏＴ）イニシアチブの目的は、改善された屋内カバレッジ、莫大な数の低スループットデバイスのサポート、低い遅延感度、超低デバイスコスト、低いデバイス電力消費および（最適化された）ネットワークアーキテクチャに対処する、Ｅ−ＵＴＲＡ（ＬＴＥ）の後方互換性がない変形態に大いに基づく、セルラーモノのインターネット（ＩｏＴ）のための無線アクセスを指定することである。
【００３２】
ＮＢ−ＩｏＴキャリアＢＷ（Ｂｗ２）は２００ＫＨｚである。ＬＴＥの動作帯域幅（Ｂｗ１）の例は、対照的に、１．４ＭＨｚ、３ＭＨｚ、５ＭＨｚ、１０ＭＨｚ、１５ＭＨｚ、２０ＭＨｚなどである。
【００３３】
ＮＢ−ＩｏＴ無線アクセスは、以下の３つの異なる動作モードをサポートする。
１．たとえば、１つまたは複数のＧＳＭキャリアの代替としてのＧＥＲＡＮシステムによって現在使用されているスペクトルを利用する「スタンドアロン動作」。原則として、この動作モードは、他のコロケートされた（または重複する）システムのキャリア内にも別のシステムの動作キャリアのガードバンド内にもない、任意のキャリア周波数を使用することができる。他のシステムは、別のＮＢ−ＩｏＴ動作または任意の他の無線アクセス技術（ＲＡＴ）、たとえば、ＬＴＥであり得る。
２．ＬＴＥキャリアのガードバンド内の未使用リソースブロックを利用する「ガードバンド動作」。ガードバンドという用語は、互換的にガード帯域幅と呼ばれることもある。一例として、２０ＭＨｚのＬＴＥ  ＢＷ（すなわち、Ｂｗ１＝２０ＭＨｚまたは１００個のＲＢ）の場合、ＮＢ−ＩｏＴのガードバンド動作は、中心１８ＭＨｚの外部のどこにでも、ただし２０ＭＨｚ  ＬＴＥ  ＢＷ内に配置され得る。
３．通常ＬＴＥキャリア内のリソースブロックを利用する「帯域内動作」。帯域内動作は、互換的に帯域幅内動作と呼ばれることもる。より一般的には、別のＲＡＴのＢＷ内のあるＲＡＴの動作は、帯域内動作とも呼ばれる。一例として、５０個のＲＢのＬＴＥ  ＢＷ（すなわち、１０ＭＨｚまたは５０個のＲＢのＢｗ１）では、５０個のＲＢ内の１つのリソースブロック（ＲＢ）上のＮＢ−ＩｏＴ動作は、帯域内動作と呼ばれる。
【００３４】
ＮＢ−ＩｏＴでは、ダウンリンク送信は、すべてのシナリオ、すなわちスタンドアロン、ガードバンド、および帯域内について１５ｋＨｚサブキャリア間隔をもつ直交周波数分割多重（ＯＦＤＭ）に基づく。アップリンク送信について、シングルキャリア周波数分割多元接続（ＳＣ−ＦＤＭＡ）に基づくマルチトーン送信と、シングルトーン送信の両方がサポートされる。これは、ダウンリンクにおけるおよびまた部分的にアップリンクにおけるＮＢ−ＩｏＴのための物理波形が、レガシーＬＴＥにおける物理波形と同様であることを意味する。
【００３５】
ダウンリンク設計では、ＮＢ−ＩｏＴは、異なる物理チャネルによって搬送される、マスタ情報ブロードキャストとシステム情報ブロードキャストの両方をサポートする。帯域内動作の場合、ＮＢ−ＩｏＴ  ＵＥが、レガシーＰＲＢインデックスを知らずに（ＮＰＢＣＨとも呼ばれる）ＮＢ−ＰＢＣＨを復号することが可能である。ＮＢ−ＩｏＴは、ダウンリンク物理制御チャネル（ＮＰＤＣＣＨとも呼ばれるＮＢ−ＰＤＣＣＨ）とダウンリンク物理共有チャネル（ＮＰＤＳＣＨとも呼ばれるＰＤＳＣＨ）の両方をサポートする。ＮＢ−ＩｏＴ無線アクセスの動作モードが、ＵＥに示されなければならず、現在、３ＧＰＰは、（ＮＳＳＳとも呼ばれる）ＮＢ−ＳＳＳ、（ＮＰＢＣＨとも呼ばれるＮＢ−ＰＢＣＨ上で搬送される）ＮＢ−ＭＩＢ、または場合によっては他のダウンリンク信号による指示を考慮する。
【００３６】
ＮＢ−ＩｏＴにおいて使用されるべき参照信号は、まだ指定されていない。しかしながら、一般的な設計原理はレガシーＬＴＥの設計原理に従うことが予想される。ダウンリンク同期信号は、たいがい、１次同期信号（ＮＰＳＳとも呼ばれるＮＢ−ＰＳＳ）と２次同期信号（ＮＳＳＳとも呼ばれるＮＢ−ＳＳＳ）とからなる。
【００３７】
半二重動作
半二重（ＨＤ）動作、またはより詳細には半二重ＦＤＤ（ＨＤＦＤＤ）動作では、アップリンク（ＵＬ）送信とダウンリンク（ＤＬ）送信とが、異なるぺアにされたキャリア周波数上で行われるが、同じセル中で時間的に同時に行われない。これは、アップリンク送信とダウンリンク送信とが異なる時間リソース中で行われることを意味する。時間リソースの例は、シンボル、タイムスロット、サブフレーム、送信時間間隔（ＴＴＩ）、インターリービング時間などである。言い換えれば、アップリンクとダウンリンク（たとえば、サブフレーム）とは時間的に重複しない。ダウンリンク、アップリンク、または未使用サブフレームのために使用されるサブフレームの数およびロケーションは、フレーム間単位でまたは複数のフレーム単位で変動することがある。たとえば、１つの無線フレーム（たとえばフレーム＃１）では、サブフレーム＃９、＃０、＃４および＃５がダウンリンクのために使用され得、サブフレーム＃２および＃７が、アップリンク送信のために使用される。しかし、別のフレーム（たとえばフレーム＃２）では、サブフレーム＃０および＃５がダウンリンクのために使用され、サブフレーム＃２、＃３、＃５、＃７および＃８がアップリンク送信のために使用される。
【００３８】
タイミングアドバンス
アップリンクＳＣ−ＦＤＭＡ送信における直交性を保持するために、ＬＴＥにおける複数のユーザ機器（ＵＥ）からのアップリンク送信が、基地局、たとえば、ＬＴＥ  ｅノードＢなど、受信機において時間整合される必要がある。これは、同じｅノードＢの制御下にあるそれらのＵＥの送信タイミングが、ＵＥの受信された信号がほぼ同時にｅノードＢ受信機に到着することを保証するように調整されるべきであることを意味する。より詳細には、ＵＥの受信された信号は、サイクリックプレフィックス（ＣＰ）内にうまく到着するべきであり、ここで、ノーマルＣＰ長は約４．７μｓである。これは、ｅノードＢ受信機が、複数のＵＥからの信号を受信し、処理するために、同じリソース、すなわち、同じ離散フーリエ変換（ＤＦＴ）リソースまたは高速フーリエ変換（ＦＦＴ）リソースを使用することが可能であることを保証する。
【００３９】
アップリンクタイミングアドバンス（ＴＡ）が、そのＵＥからのアップリンク送信についての測定値に基づいてＵＥに送られる、タイミング整合コマンドとも呼ばれるタイミングアドバンスコマンドを通して、ｅノードＢによって維持される。たとえば、ｅノードＢは、各ＵＥについて、そのＵＥに必要なＴＡの値を判定するために、２方向伝搬遅延またはラウンドトリップ時間を測定する。
【００４０】
サブフレームｎ上で受信されたタイミングアドバンスコマンドについて、アップリンク送信タイミングの対応する調整が、サブフレームｎ＋６の始めからＵＥによって適用される。タイミングアドバンスコマンドは、１６個のＴｓの倍数として、ＵＥ送信の現在のアップリンクタイミングに対するアップリンクタイミングの変更を示し、ここで、Ｔｓ＝３２．５ｎｓであり、ＬＴＥにおける「基本時間単位」と呼ばれる。
【００４１】
ｅノードＢによって送信されるランダムアクセス応答メッセージの場合、タイミングアドバンスグループ（ＴＡＧ）のための１１ビットタイミングアドバンスコマンド（ＴＡ）が、ＴＡ＝０、１、２、．．．、１２８２のインデックス値によるＮＴＡ値を示し、ここで、ＴＡＧのための時間整合の量が、ＮＴＡ＝ＴＡ×１６によって与えられる。ＮＴＡは、セクション「特定のサブフレームオフセットをもつＥ−ＵＴＲＡ  ＴＤＤ測定ギャップの整合」において上記で規定される。
【００４２】
他の場合には、ＴＡＧのための６ビットタイミングアドバンスコマンド（ＴＡ）が、ＴＡ＝０、１、２、．．．、６３のインデックス値による、現在のＮＴＡ値、ＮＴＡ，ｏｌｄの、新しいＮＴＡ値、ＮＴＡ，ｎｅｗへの調整を示し、ここで、ＮＴＡ，ｎｅｗ＝ＮＴＡ，ｏｌｄ＋（ＴＡ−３１）ｘ１６である。ここで、正または負の量だけのＮＴＡ値の調整は、それぞれ所与の量だけＴＡＧのためのアップリンク送信タイミングを進めることまたは遅延させることを示す。
【００４３】
タイミングアドバンス更新が、ＭＡＣ  ＰＤＵ中でエボルブドノードＢ（ｅＮＢ）によってＵＥにシグナリングされる。
【００４４】
カバレッジ拡張
デバイスが、建築物の地階中など、遠隔ロケーション中にあるセンサーまたは計量デバイスとして使用されるときなど、いくつかのシナリオでは、ＩｏＴデバイスと基地局との間の経路損失が大きくなることがある。そのようなシナリオでは、基地局からの信号の受信が極めて難しいことがある。たとえば、経路損失は、通常動作と比較して２０ｄＢだけ悪くなり得る。そのような課題に対処するために、アップリンクにおけるおよび／またはダウンリンクにおけるカバレッジが、（レガシーカバレッジとも呼ばれる）通常カバレッジに対して実質的に拡張されなければならない。これは、カバレッジを拡張するためにＵＥ中および／または無線ネットワークノード中で１つあるいは複数の高度技法を採用することによって実現される。そのような高度技法のいくつかの非限定的な例は、送信電力ブースティング、送信信号の繰返し、送信信号に追加の冗長性を適用すること、高度／拡張受信機アーキテクチャの使用などを含む。概して、そのようなカバレッジ拡張技法を採用するとき、ＩｏＴ無線アクセスは、「カバレッジ拡張モード」またはカバレッジ拡大モードにおいて動作していると見なされる。
【００４５】
カバレッジ拡張が送信繰返しによって与えられるとき、カバレッジ拡張モードＡおよびカバレッジ拡張モードＢのための、それぞれ、ＰＤＳＣＨおよびＰＵＳＣＨのための最大繰返し数は、以下のセル固有のブロードキャストされたパラメータによって与えられる。
ｐｄｓｃｈ−ｍａｘＮｕｍＲｅｐｅｔｉｔｉｏｎＣＥｍｏｄｅＡ（最高３２回の繰返し）、
ｐｄｓｃｈ−ｍａｘＮｕｍＲｅｐｅｔｉｔｉｏｎＣＥｍｏｄｅＢ（最高２０４８回の繰返し）、
ｐｕｓｃｈ−ｍａｘＮｕｍＲｅｐｅｔｉｔｉｏｎＣＥｍｏｄｅＡ（最高３２回の繰返し）、
ｐｕｓｃｈ−ｍａｘＮｕｍＲｅｐｅｔｉｔｉｏｎＣＥｍｏｄｅＢ（最高２０４８回の繰返し）。
【００４６】
特定のワイヤレス通信デバイスによって使用すべき繰返しの厳密な数が、ダウンリンク制御チャネルＭ−ＰＤＣＣＨを介して搬送される、ダウンリンク制御情報（ＤＣＩ）を介して動的にシグナリングされる。このチャネルはまた、各ワイヤレス通信デバイスのために個々に設定された以下の特定の繰返し数に従って繰り返され得る。
ｍＰＤＣＣＨ−ＮｕｍＲｅｐｅｔｉｔｉｏｎ（最高２５６回の繰返し）。
【００４７】
ワイヤレス通信デバイスがアップリンク制御チャネル上で送信するとき、ワイヤレス通信デバイスは、ネットワークノードによって個々に設定されたような以下の繰返しを使用し得る。
ｐｕｃｃｈ−ＮｕｍＲｅｐｅｔｉｔｉｏｎＣＥ−Ｆｏｒｍａｔ１（最高８回（モードＡ）または３２回（モードＢ）の繰返し）、
ｐｕｃｃｈ−ＮｕｍＲｅｐｅｔｉｔｉｏｎＣＥ−Ｆｏｒｍａｔ２（最高８回（モードＡ）または３２回（モードＢ）の繰返し）。
【００４８】
したがって、カバレッジに応じて、ワイヤレス通信デバイスは繰返しの異なる数を適用し得る。
【００４９】
低複雑度ＵＥ（たとえば、１つの受信機、または「Ｒｘ」をもつＵＥ）も、拡張カバレッジ動作モードをサポートすることが可能であり得る。セルに関するＵＥのカバレッジレベルは、そのセルに関する信号品質、信号強度または経路損失など、信号レベルに関して表され得る。
【００５０】
例示的な実施形態
本明細書で説明される方法および装置のいくつかの実施形態は、ワイヤレス通信デバイスが進行中の繰返し期間中にＴＡＣを適用することを回避するルールに関係する。すなわち、ＴＡＣを適用することは、開始され、終了されていない繰返し期間を回避するものとする。
【００５１】
図１は、本明細書の実施形態が実装され得るワイヤレス通信システム１００の一実施形態を示す概略図である。ワイヤレス通信システム１００は、いくつかの実施形態では、たとえば、ＬＴＥ、ＬＴＥアドバンスト、ＷＣＤＭＡ、ＧＳＭ、ワールドワイドインターオペラビリティフォーマイクロウェーブアクセス（ＷｉＭＡＸ）、または任意の他の無線アクセス技術など、１つまたは複数の無線アクセス技術（ＲＡＴ）に適用され得る。
【００５２】
いくつかの実施形態では、ワイヤレス通信システム１００は、少なくとも１つのワイヤレス通信デバイス１０１と少なくとも１つのネットワークノード１０２とを含み得る。しかしながら、本明細書の実施形態は、ワイヤレス通信デバイス１０１およびネットワークノード１０２の数を限定しない。
【００５３】
いくつかの実施形態では、ワイヤレス通信デバイス１０１は、ワイヤレス通信デバイス１０１が、１つまたは複数のアップリンクチャネル中でネットワークノード１０２にメッセージの連続繰返しを送信する、拡張カバレッジモードにおいて動作する。別の実施形態では、ネットワークノード１０２も、ネットワークノード１０２が１つまたは複数のダウンリンクチャネル中でネットワークノード１０２にメッセージの連続繰返しを送信する、拡張カバレッジモードにおいて動作する。しかしながら、ネットワークノード１０２が拡張カバレッジモードにおいて動作する必要はない。
【００５４】
ネットワークノード１０２は、ワイヤレス通信デバイス１０１にタイミングアドバンスコマンド（ＴＡＣ）を送ることによって、ワイヤレス通信デバイス１０１のアップリンク送信タイミングを調整し得る。ワイヤレス通信デバイス１０１は、新しいルールに従ってＴＡＣが適用される時間を適応させ得る。一実施形態では、新しいルールは以下のように表され得る：ＴＡＣが適用される時間とＴＡＣが受信される時間との間の時間差が、使用される無線アクセス技術のタイプに応じた指定された時間よりも大きいかまたはそれに等しいものとし、ＴＡＣの適用が、第１のサブフレームの後、繰返しアップリンク送信の終了まで発生しないものとする。
【００５５】
ＬＴＥでは、上記の指定された時間は、６つのサブフレームとして規定される。したがって、この文脈では、ワイヤレス通信デバイス１０１は、サブフレームｎ中で受信されたタイミングアドバンスコマンドについて、サブフレームｎ＋６においてまたはサブフレームｎ＋６よりも後、ワイヤレス通信デバイス１０１のアップリンク送信タイミングのタイミングを調整するものとする。さらに、ワイヤレス通信デバイス１０１のアップリンク送信タイミング調整は、始まり（すなわち、第１のサブフレーム）の後、１つの繰返しアップリンク送信の終了まで発生しない。
【００５６】
タイミングアドバンスの適用のための既存のルールを適用することと比較して、システム性能が改善される。特に、アップリンク送信中のタイミングアドバンスの適用によるひずみが回避される。
【００５７】
一実施形態では、ＵＥが、準拠し、実装しなければならない新しいルールは、たとえば、以下のように仕様（たとえば３ＧＰＰ３６．１３３）中にＬＴＥのために取り込まれ得る。
アップリンク繰返し期間が設定されていないとき、またはアップリンク繰返し期間が設定されているが単一の送信（Ｒ＝１）を伴うとき、ＵＥは、サブフレームｎ中で受信されたタイミングアドバンスコマンドについて、サブフレームｎ＋６においてＵＥのアップリンク送信タイミングのタイミングを調整するものとする。
繰返しＲ＞１であるアップリンク繰返し期間が設定されているとき、ＵＥは、
−  サブフレームｎ＋６が、進行中のアップリンク繰返し期間内に入らないという条件で、サブフレームｎ中で受信されたタイミングアドバンスコマンドのために、サブフレームｎ＋６について、ＵＥのアップリンク送信タイミングのタイミングを調整するものとし、他の場合、
−  サブフレームｋにおいてＵＥのアップリンク送信タイミングのタイミングを調整するものとし、ここで、サブフレームｋは、ｋ≧ｎ＋６である第１のアップリンク繰返し期間の始まりを表す。
【００５８】
図２は、ワイヤレス通信デバイス１０１の例示的な実施形態を示す概略ブロック図である。いくつかの実施形態では、図２に例示されているように、ワイヤレス通信デバイス１０１は、限定はしないが、受信ユニット２０１と適応ユニット２０２とを含み得る。受信ユニット２０１は、たとえば、サブフレームｎにおいて、ネットワークノードからＴＡＣを受信するように設定され得、適応ユニット２０２は、本明細書で提案される上述の新しいルールに従って、ＴＡＣが適用される時間を適応させるように設定され得る。
【００５９】
いくつかの実施形態では、適応ユニット２０２は、限定はしないが、判定ユニット２０３と、決定ユニット２０４と、適用ユニット２０５とを含み得る。さらに、本明細書の実施形態は、この実施形態に限定されない。他の実施形態では、ワイヤレス通信デバイス１０１の判定ユニット２０３、決定ユニット２０４、および適用ユニット２０５は、適応ユニット２０２中に含まれる。
【００６０】
いくつかの実施形態では、判定ユニット２０３は、ＴＡＣが受信されたサブフレームｎを判定すること、および、サブフレームの数ｍの形式で、サブフレームｎと第１の繰返しアップリンク送信の第１のサブフレームｋとの間の時間差を判定することを行うように設定され得る。決定ユニット２０４は、ｑが、サブフレームの数の形式で、上述の指定された遅延を表すために使用される場合、サブフレームｎ＋ｑ中のＴＡＣの適用が、始まり（第１のサブフレーム）の後に第１の繰返しアップリンク送信の終了まで発生することになるかどうかを決定すること、およびそれぞれの決定を出力することを行うように設定され得る。適用ユニット２０５は、決定ユニット２０４からの決定を受信し、上記の決定に従ってＴＡＣを適用するように設定され得る。
【００６１】
ワイヤレス通信デバイス１０１に関するさらなる詳細が、以下で図６〜図８に関連して説明される。
【００６２】
図３は、ワイヤレス通信デバイス１０１と通信しているネットワークノード１０２の一実施形態を示す概略ブロック図である。いくつかの実施形態では、図３に示されているように、ネットワークノード１０２は、限定はしないが、ＴＡＣ生成ユニット３０３と送信ユニット３０１とを含み得る。ＴＡＣ生成ユニット３０３は、ワイヤレス通信デバイス１０１によって使用されるべきＴＡＣを生成するように設定され得、送信ユニット３０１は、ワイヤレス通信デバイス１０１に、生成されたＴＡＣを送るように設定され得る。本明細書の実施形態は、この実施形態に限定されないことに留意されたい。他の実施形態では、ネットワークノード１０２はＴＡＣ生成ユニットを含まない。この場合、ＴＡＣは、別のノードによって生成され、ネットワークノード１０２に送られ得、ネットワークノード１０２の送信ユニット３０１は、ワイヤレス通信デバイス１０１に、受信されたＴＡＣを送り得る。
【００６３】
いくつかの実施形態では、ネットワークノード１０２は、異なる繰返し期間をもつ複数のアップリンク信号を送信するようにワイヤレス通信デバイス１０１を設定することと、繰返し期間の重複時間が最大化されるかまたは複数のアップリンク信号の単一の送信が最小化されるように、繰返し期間の開始点または終了点のうちの少なくとも１つを時間的にシフトすることによって、繰返し期間を整合させるようにワイヤレス通信デバイス１０１を設定することとを行い得る、設定ユニット３０２を含み得る。
【００６４】
図４は、ワイヤレス通信デバイス１０１における方法４００の一実施形態を示すフローチャートである。いくつかの実施形態では、ワイヤレス通信デバイス１０１は、拡張カバレッジモードにおいて動作し、拡張カバレッジモードは、ワイヤレス通信デバイス１０１からネットワークノード１０２に送られるメッセージの連続繰返しを含む。
【００６５】
いくつかの実施形態では、本方法は、限定はしないが、図４に例示されている以下のステップを含み得る。ステップＳ４０１において、ワイヤレス通信デバイス１０１は、ネットワークノード１０２からタイミングアドバンスコマンド（ＴＡＣ）を受信し得る。ステップＳ４０２において、ワイヤレス通信デバイス１０１は、本明細書で提案される新しいルールに従ってＴＡＣが適用される時間を適応させ得る。新しいルールによれば、ＴＡＣが適用される時間とＴＡＣが受信される時間との間の時間差が、使用される無線アクセス技術のタイプに応じた指定された時間よりも大きいかまたはそれに等しいものとし、ＴＡＣの適用が、第１のサブフレームの後、繰返しアップリンク送信の終了まで発生しないものとする。
【００６６】
ワイヤレス通信デバイス１０１は、１つのアップリンク繰返し信号のみまたは少なくとも２つのアップリンク繰返し信号を送信するように設定され得る。ワイヤレス通信デバイス１０１は、少なくとも２つのアップリンクチャネル中で少なくとも２つのアップリンク繰返し信号を送信し得る。少なくとも２つのアップリンク信号の繰返し期間は、時間的に互いと重複することも重複しないこともある。
【００６７】
図５は、ネットワークノード１０２における方法５００の一例を示すフローチャートである。ステップＳ５０１において、設定ユニット３０２は、異なる繰返し期間をもつ複数のアップリンク信号を送信するようにワイヤレス通信デバイス１０１を設定し得る。ステップＳ５０２において、ネットワークノード１０２の設定ユニット３０２は、繰返し期間の重複時間が最大化されるかまたは複数のアップリンク信号の単一の送信が最小化されるように、繰返し期間の開始点または終了点のうちの少なくとも１つを時間的にシフトすることによって、繰返し期間を整合させるようにワイヤレス通信デバイス１０１を設定し得る。
【００６８】
図６は、繰返し期間中の繰返しを伴う１つの信号を送信するように設定されたとき、ＴＡＣの適用を適応させる、ワイヤレス通信デバイスにおける方法について説明する、ワイヤレス通信デバイス１０１における動作の一例を示す概略図である。例示されたシナリオでは、ＵＥが、ある時間期間（Ｔ０）にわたるある数の繰返し（Ｎ０）を伴うあるタイプのアップリンク信号を送信するように設定されると仮定される。たとえば、Ｔ０にわたって、ＵＥは、アップリンク信号のうちの１つのみを送信する。アップリンク信号の例は、ＰＵＳＣＨ、ＲＡＣＨ、Ｍ−ＰＵＣＣＨ、ＮＢ−ＩｏＴ  ＰＵＳＣＨなどであり得る。
【００６９】
たとえば、ＵＥは、３２個の連続するアップリンク時間リソース、たとえば３２個のサブフレーム、３２個のＴＴＩ、３２個のインターリービング時間期間などにわたる３２回の繰返しを伴うＰＵＳＣＨのみを送信するように設定され得る。これは、ＦＤＤのための３２ｍｓの繰返し期間（Ｔ０）に対応する。しかしながら、ＨＤ−ＦＤＤおよびＴＤＤの場合のＴ０は、３２ｍｓよりも長く、Ｔ０の実効値は、フレーム中で利用可能なアップリンクサブフレームの数に依存する。
【００７０】
この場合、ＵＥは、アップリンク信号のＴ０の開始（たとえば第１のサブフレーム）において、ただしｎ＋Ｘ時間リソース以後において、ネットワークノードから受信されたＴＡＣを適用するものとする。これは、ＵＥが、Ｔ０の第１のサブフレームの後、Ｔ０の終了までの期間中に、受信されたＴＡＣを適用せず、むしろ、Ｔ０内の第１のアップリンクサブフレームなど、Ｔ０が開始する第１の時間リソース中で、受信されたＴＡＣを適用することを意味する。時間リソース「ｎ」は、ＵＥがＴＡＣを受信する時間リソースを示し、「Ｘ」は、指定された遅延を表す。Ｘの値はＲＡＴのタイプに依存し得る。一例として、ＬＴＥではＸ＝６サブフレームである。Ｘの値は、ＢＳが、その受信機パラメータを調整することを可能にし、ＵＥが、ネットワークノードからの受信されたＴＡＣコマンドを処理することをも可能にする。
【００７１】
図６は、ワイヤレス通信デバイス１０１（たとえばＵＥ、ｅＭＴＣデバイス、ＮＢ−ＩｏＴデバイス）が、サブフレームｎにおいて終了するダウンリンク繰返し期間中にＴＡＣを受信する、非限定的な例示的なシナリオを例示する。ダウンリンク繰返し期間と第１のアップリンク繰返し期間との間のサブフレームの数ｍが、ｑがレガシーＬＴＥでは６である、ｑよりも小さいのか、少なくともｑに等しいのかに応じて、ワイヤレス通信デバイス１０１は、ＴＡＣの適用を第２の繰返し期間（ＵＬ繰返し期間２）の始まり（たとえば第１のサブフレーム）に延期するか、または第１の繰返し期間（ＵＬ繰返し期間１）の始まり（たとえば第１のサブフレームｋ）においてＴＡＣを適用するかのいずれかを行う。
【００７２】
この例では、ｍ＋ｒ＋Δ≧ｑであると仮定され、ここで、ｒは、アップリンク繰返し期間１における繰返し数であり、Δは、アップリンク繰返し期間１の終了とアップリンク繰返し期間２の始まりとの間のサブフレームの数、たとえば中間のダウンリンク繰返し期間、または送信における何らかのスケジューリング関連のギャップである。ｍ＋ｒ＋Δがｑに等しいかまたはそれよりも大きいことが満たされていない場合、ＴＡＣの適用は、ｓ≧ｎ＋ｑであるサブフレームｓにおいて開始するアップリンク繰返し期間の始まりまで、さらに延期されることになる。
【００７３】
図７は、図６で説明された方法のためのフローチャートについて説明する、ワイヤレス通信デバイス１０１における方法７００の一例を示すフローチャートである。いくつかの実施形態では、図７中のフローチャートは、図２に示されているワイヤレス通信デバイス１０１の適応ユニット２０２によって、図４に示されているステップＳ４０２として実装され得る。
【００７４】
ネットワークノード１０２からＴＡＣを受信した後、ステップＳ７０１において、ワイヤレス通信デバイス１０１は、ＴＡＣが受信された時間を判定する。たとえば、ワイヤレス通信デバイス１０１の判定ユニット２０３は、ＴＡＣが、サブフレームｎ中で受信されたと判定し得、ここで、ｎは、繰返し期間中の最後のサブフレームとして規定される。
【００７５】
ステップＳ７０２において、ワイヤレス通信デバイス１０１は、サブフレームの数ｍの形式で、サブフレームｎと第１の繰返しアップリンク送信Ｔ０の第１のサブフレームｋとの間の時間差を判定する。たとえば、ワイヤレス通信デバイス１０１の判定ユニット２０３は、図６に示されている、ＴＡＣの受信からアップリンク繰返し期間１の始まり（第１のフレーム）までに経過するサブフレームの数ｍを判定し得る。
【００７６】
ステップＳ７０３において、ワイヤレス通信デバイス１０１は、サブフレームｎ＋ｑ中のＴＡＣの適用が、第１のサブフレームの後にアップリンク繰返し期間１の終了まで発生することになるかどうかを決定することであって、ｑが、サブフレームの数の形式で、使用される無線アクセス技術ＲＡＴのタイプに応じた指定された時間を表す、決定することを行い得る。たとえば、ワイヤレス通信デバイス１０１中の決定ユニット２０４は、ｍと、たとえばレガシーＬＴＥではｑ＝６である、ｑとを比較することによって、この決定ステップを実施し得る。
【００７７】
この数ｍが数ｑよりも大きいかまたはそれに等しい場合（Ｓ７０３：はい）、ステップＳ７０４において、ワイヤレス通信デバイス１０１は、第１のアップリンク送信期間においてＴＡＣを適用することになる。たとえば、ワイヤレス通信デバイス１０１の適用ユニット２０５は、アップリンク繰返し期間１として示されている、第１の繰返しアップリンク送信の第１のサブフレームｋにおいてＴＡＣを適用し得る。
【００７８】
一方、ｍがｑよりも小さい場合（Ｓ７０３：いいえ）、ステップＳ７０５において、ワイヤレス通信デバイス１０１は、その始まり（第１のフレームｓ）がｓ≧ｎ＋ｑを満足する次のアップリンク繰返し期間まで、ＴＡＣの適用を延期し得る。たとえば、ワイヤレス通信デバイス１０１の適用ユニット２０５は、アップリンク繰返し期間２として示されている、第２の繰返しアップリンク送信の第１のサブフレームｓ、またはその第１のフレームｓがｓ≧ｎ＋ｑを満足する任意の他の繰返し期間においてＴＡＣを適用し得る。
【００７９】
図６および図７は、ワイヤレス通信デバイス１０１が１つのアップリンク繰返し信号のみを送信するように設定された例によって説明されるが、同じ方法は、ワイヤレス通信デバイス１０１が、時間的に互いと重複しない少なくとも２つのアップリンク信号を送信するように設定された例に好適である。
【００８０】
上記実施形態で説明されたように、本明細書の方法を適用する提案されるＴＡＣでは、ＴＡＣは、ＴＡＣの受信からの指定された遅延以後に適用されるものとし、進行中の繰返し期間中に適用されていないものとする。すなわち、ＴＡＣが適用される時間とＴＡＣが受信される時間との間の時間差が、使用される無線アクセス技術のタイプに応じた指定された時間よりも大きいかまたはそれに等しいものとし、ＴＡＣの適用が、繰返しアップリンク送信の第１のサブフレームの後、前記繰返しアップリンク送信の終了までの期間中に発生しないものとする。たとえば、ＴＡＣの適用は、アップリンク繰返し期間１の第１のサブフレームの後、アップリンク繰返し期間１の終了までの期間中に発生しないものとし、ＴＡＣの適用は、アップリンク繰返し期間２の第１のサブフレームの後、アップリンク繰返し期間２の終了までの期間中に発生しないものとし、以下同様である。
【００８１】
本明細書で提案される新しいルールは、ワイヤレス通信デバイスが、その繰返し期間が時間的に互いと部分的に重複する少なくとも２つのアップリンク信号を送信するように設定された場合に適用可能である。一実施形態では、重複繰返し期間中に少なくとも２つの繰返しアップリンク信号を送信するように設定されたとき、ＴＡＣの適用を適応させる、ワイヤレス通信デバイスにおける方法が、本明細書で提案される。
【００８２】
この場合、開示されるルールは、ワイヤレス通信デバイスに、他のアップリンク信号のいずれの繰返し期間とも時間的に重複しないアップリンク信号のいずれかの繰返し期間の開始において、受信されたＴＡＣを適用するように求める。
【００８３】
図６および図７で説明されたように、ＴＡＣはまた、この場合、ｎ＋ｑ時間リソース以後において適用されるべきであり、たとえばＬＴＥの場合ｑ＝６サブフレームである。この技法は、重複する繰返し期間にわたる繰返しで設定された２つのアップリンク信号を含む一例を用いてさらに詳述される。しかしながら、本技法は、少なくとも部分的に重複する時間にわたるいくつかの繰返しを伴って送信するように設定された任意の数のアップリンク信号に適用可能である。
【００８４】
ワイヤレス通信デバイス１０１が、第１の繰返し期間（Ｔ１）にわたるある繰返しを伴う１つの第１の信号と、第２の繰返し期間（Ｔ２）にわたるある繰返しを伴う少なくとも第２の信号とで設定されると仮定する。Ｔ１とＴ２とが、時間的に少なくとも部分的に重複するとさらに仮定される。たとえば、ワイヤレス通信デバイス１０１は、Ｔ１にわたる３２回の繰返しを伴うＰＵＳＣＨなどの第１の信号を送信するように設定され得る。ワイヤレス通信デバイス１０１はまた、Ｔ２中のある数の繰返しを伴うランダムアクセスなどの第２の信号を送信するように設定され得る。また別の実施形態では、ＵＥが、繰返しを伴わない、１つの送信試み、すなわち、元の送信のみを用いて、Ｔ０中にＲＡを実行すると想定される。
【００８５】
ワイヤレス通信デバイス１０１は、自律的にまたはネットワークノード１０２から受信された要求に応答して、ＲＡ送信を起動し得る。ＵＥは、以下の理由、たとえば、ＴＡ、ＵＥ  ＲｘーＴｘ時間差、ｅＮＢ  Ｒｘ−Ｔｘ時間差など、測位測定を実施するために、またはその測位測定をｅＮＢが実施することを可能にするために、などのうちの１つまたは複数のために、ＲＡ送信を実施し得る。
【００８６】
開示される方法のいくつかの実施形態によれば、ワイヤレス通信デバイス１０１の挙動は、以下の通りである。ワイヤレス通信デバイス１０１は、
−  アップリンク信号のいずれかの進行中のアップリンク繰返し期間中にアップリンク送信タイミングを調整するために、受信されたＴＡＣのいずれかを適用することを許容されないが、繰返し期間が進行中でないとき、以下などにおいて、ワイヤレス通信デバイス１０１のアップリンク送信タイミングを自律的に調整することを許容される、すなわち、
−  ｎ＋Ｘ時間リソース（たとえばサブフレーム単位でｎ＋ｑ）以後に発生する時間リソースにおいて、および時間的に重複する他の信号の繰返し期間の開始時間と比較して最も早い開始時間をもつ信号の繰返し期間の開始において発生する時間リソースにおいて、または
−  ｎ＋Ｘ時間リソース（たとえばサブフレーム単位でｎ＋ｑ）以後に発生する時間リソースにおいて、および時間的に重複する他の信号の繰返し期間の終了時間と比較して最も遅い終了時間をもつ信号の繰返し期間の終了の後に発生する時間リソースにおいて。
【００８７】
いくつかの実施形態では、繰返し期間（Ｔａ、Ｔｂ）の間の相対的な整合（および場合によっては繰返し期間の間の関係の確立をいつ実施すべきか）が、遅延ｎ＋Ｘの影響を受けるべきである。しかしながら、他の実施形態では、繰返し期間（Ｔａ、Ｔｂ）の間の相対的な整合（および場合によっては繰返し期間の間の関係の確立をいつ実施すべきか）が、遅延ｎ＋Ｘの影響を受けるべきではない。
【００８８】
上記のＵＥの挙動は、第１の信号送信および第２の信号送信が、それぞれ、Ｔ１およびＴ２の少なくとも部分的に重複する繰返し期間を有する一例を用いて詳述される。Ｔ１がＴ２の前に開始し、Ｔ１がＴ２の前に終了する、すなわち、Ｔ２がＴ１の後に終結すると仮定する。この例では、ＵＥは、Ｔ１の開始からおよびＴ２の終了まで、ＵＥのアップリンクタイミングを調整するためにＴＡＣコマンドを適用することを許容されない。しかしながら、ＵＥは、時間リソースが、ｎ＋Ｘ（たとえばサブフレーム単位でｎ＋ｑ、ＬＴＥの場合ｑ＝６サブフレーム）時間リソースよりも後に発生するという条件で、Ｔ１の直前にまたはＴ２の直後に発生する時間リソース中で、ＵＥのアップリンク送信タイミングを調整または変更するために、受信されたＴＡＣコマンドを適用することを許容される。
【００８９】
図８は、ワイヤレス通信デバイス１０１における整合動作の一例を示す概略図である。整合動作は、ワイヤレス通信デバイス１０１の整合ユニット２０７によって実施され得る。いくつかの実施形態では、ワイヤレス通信デバイス１０１は、送信ユニット２０６をさらに含む。図８（ａ）に示されているように、送信ユニット２０６は、その繰返し期間が時間的に互いと部分的に重複する少なくとも２つのアップリンク信号を送信するように設定され得る。たとえば、異なる繰返し期間Ｔａ、Ｔｂをもつ２つのアップリンク信号は、それぞれ、アップリンクチャネルａおよびアップリンクチャネルｂ中で送信していることがある。
【００９０】
この手法の目的は、できる限り、複数のアップリンク信号の繰返し期間の間の整合を許容することである。この整合は、ワイヤレス通信デバイス１０１が、各アップリンク信号の繰返し期間の終了の後に、直ちにまたはより短い遅延を伴って、および時間リソースｎ＋Ｘの発生の後すぐに、ワイヤレス通信デバイスのアップリンク送信タイミングを調整するために、受信されたＴＡＣコマンドを適用することを可能にする。言い換えれば、繰返し期間（Ｔａ、Ｔｂ）の重複する時間が最大化されるか、またはアップリンク信号の単一の送信が最小化される。以下に例が示されている。
【００９１】
いくつかの実施形態では、ワイヤレス通信デバイス１０１は、ある数の繰返しを伴う少なくとも２つのアップリンク信号の繰返し期間が以下の関係のうちの１つまたは複数によって関係付けられることを保証することによって、それらのアップリンク信号を調整し得る。
−  それらの繰返し期間が、図８（ｂ）に示されているように、たとえば同じサブフレームにおいてなど、同じ時間リソースにおいて同時に開始する、
−  それらの繰返し期間が、図８（ｃ）に示されているように、たとえば同じサブフレームにおいてなど、同じ時間リソースにおいて同時に終了する、
−  それらの繰返し期間が、ある持続時間（Δ１）内に、たとえば５つのサブフレームなど、Ｘ個の時間リソース内に開始する、
−  それらの繰返し期間が、ある持続時間（Δ２）内に、たとえば１０個のサブフレームなど、Ｙ個の時間リソース内に終了する。
【００９２】
さらに、この手法は、ワイヤレス通信デバイス１０１において行われるものとして説明されるが、同様の方法が、ユーザ機器（ＵＥ）でもあり得るワイヤレス通信デバイス１０１と通信しているネットワークノード１０２であり得る、ノードにおいて実装され得る。他の実施形態では、ＵＥアップリンクＴＡＣ適用プロシージャを拡張するための、繰返しを伴うアップリンク信号を設定するノードにおける方法が、本明細書で説明される。
【００９３】
たとえば図５のＳ５０２に示されている、この方法では、ネットワークノード１０２は、ある数の繰返しを伴う少なくとも２つのアップリンク信号の繰返し期間が、以下の関係のうちの１つまたは複数によって関係付けられることを保証することによって、それらのアップリンク信号とともにワイヤレス通信デバイス１０１を設定し得る。
−  それらの繰返し期間が、同時に、たとえば同じサブフレームにおいてなど、同じ時間リソースにおいて開始する、
−  それらの繰返し期間が、同時に、たとえば同じサブフレームにおいてなど、同じ時間リソースにおいて終了する、
−  それらの繰返し期間が、ある持続時間（Δ１）内に、たとえば５つのサブフレームなど、Ｘ個の時間リソース内に開始する、
−  それらの繰返し期間が、ある持続時間（Δ２）内に、たとえば１０個のサブフレームなど、Ｙ個の時間リソース内に終了する。
【００９４】
繰返し期間の間の上記の関係は、ＴＡＣがＵＥによって適用されなければならないとＵＥによって判定されたとき、たとえばＵＥが、ネットワークノードから少なくとも１つのＴＡＣを受信したまたは受信することを予想したとき、ノードがＵＥである場合、ノードによって確立または保証される。繰返し期間の間の上記の関係は、ＵＥが、ＵＥのアップリンクタイミングを調整するために少なくとも１つのＴＡＣとともに設定されることを予想されるかまたは設定されるとＮＷノードによって判定されたとき、ノードがネットワークノードである場合、ノードによって確立または保証される。これは、たとえば、ＵＥとＮＷノードとの間の伝搬遅延が、あるしきい値、たとえば、３μｓよりも大きいとＮＷノードが識別したとき、判定され得る。繰返し期間の間の上記の関係は、実装形態固有であるか、あらかじめ規定されるか、またはネットワークノードによってＵＥにおいて設定され得る。
【００９５】
たとえば、ＵＥが、ネットワークノードによって、Ｔ１の繰返し期間にわたるある繰返しを伴う第１の信号（ＰＵＳＣＨ）を送信するように設定されたと仮定する。Ｔ１中に、ネットワークノードは、ＵＥに、Ｔ２の繰返し期間にわたるある繰返しを伴う第２の信号（ランダムアクセス）を送信することをさらに要求し得る。特殊な場合として、第２の信号のための繰返しは、１、すなわち、Ｒ＝１であり得る。例示的な一実装形態では、ＵＥは、Ｔ１の終了までにすべての繰返しを用いてＲＡを送信する、すなわち、Ｔ２が、Ｔ１の直前または直後の単一および最後の時間リソースにおいて終了する、ように設定され得る。Ｔ１の終了においてＴ２をスケジュールすることによって、ＵＥは、Ｔ１の直後に、またはＴ１の１時間リソース後にＵＥのアップリンク送信タイミングを調整することを許容される。言い換えれば、重複する繰返し期間をもつアップリンク送信のために設定された２つまたはそれ以上の信号があるとき、ＵＥ送信タイミング調整が遅延されないか、または調整が最小遅延で適用される。別の例では、Ｔ１中の送信は、Ｔ２における送信よりも優先され、Ｔ２は、Ｔ１の残り時間にわたるので、ＵＥは、Ｔ１の開始においてタイミングを補正することができる。しかし、Ｔ２が完了された後に残されたＴ１の一部があるので、ＵＥは、Ｔ２の始まりにおいてタイミングを補正することを許容されないことになる。
【００９６】
図面には示されていないが、本明細書の提案される実施形態は、さらなる実施形態をも含むことができる。さらなる実施形態は、以下の状況において好適であり得る。ワイヤレス通信デバイス１０１は、ネットワークノード（たとえばｅノードＢ）から複数のＴＡＣを受信しているが、上記で説明された遅延に関する考慮事項のために、それらを直ちに考慮に入れない。代わりに、ＵＥは、むしろ、アップリンクタイミング調整により好適である後の時点までＴＡＣを覚えている。少なくとも以下の可能性がある。
１．最後の受信されたＴＡコマンドのみが考慮に入れられる。以前の受信されたＴＡコマンドが廃棄される。したがって、ネットワークノード（ｅＮＢ）にとって、以前のＴＡコマンドが失われたかのようである。この手法を用いると、ｅＮＢは、実際に、ＵＥが以前のＴＡコマンドを廃棄していることに気づいている必要がない。この実施形態では、適用ユニット２０５は、たとえば、最後の受信されたＴＡＣのみを適用するように設定される。
２．すべてのＴＡコマンド（累積）が同時に効果を生じる。ここで、ＵＥは、１ステップで適用されるべきすべてのＴＡコマンドを加算する。この手法は、ｅＮＢが、ある時間期間にわたって小さいタイミング調整に対応するいくつかのＴＡコマンドを送ることを許容し、いくつかのＴＡコマンドは、その場合、適切な時間において効果を生じることができる。これは、ｅＮＢが、ＵＥがＴＡコマンドをバッファしていることに気づいていると仮定する。この実施形態では、ワイヤレス通信デバイス１０１は、複数のＴＡＣを加算するように設定された加算ユニット２０８をさらに含み、適用ユニット２０５は、たとえば、加算された複数のＴＡＣを適用するように設定される。
３．ＴＡコマンドは、適切な異なる時間において段階的に効果を生じるために累積される。ここで、ＴＡ調整は、１ステップで適用されるには大きすぎ、したがって、ＵＥは、すべてのＴＡコマンドを加算し、それらを、いくつかのステップで適用されるべき別個の増分に分割し、各増分は、可能な／許容される最大ＴＡ調整よりも大きくない。ここで、また、ＮＷノードは、ＵＥがＴＡコマンドをバッファしていることに気づいている必要がある。この実施形態では、ワイヤレス通信デバイス１０１は、複数のＴＡＣを加算するように設定された加算ユニット２０８と、複数のＴＡＣを複数の別個の増分に分割するように設定された分割ユニット２０９とをさらに備え、各増分は、許容される最大タイミングアドバンス調整よりも大きくない。適用ユニット２０５は、複数の増分を、それぞれ、複数のプロセス（ステップ）におけるＴＡＣとして適用するように設定される。
【００９７】
図９は、ネットワークノード９００の一例を示す概略ブロック図である。図１０は、ワイヤレス通信デバイス１０００の一実施形態を示す概略ブロック図である。
【００９８】
いくつかの実施形態では、ネットワークノード９００は、限定はしないが、（Ｉ／Ｏとして示されている）入出力インターフェース９０１と、（ＰＲＯＣとして示されている）プロセッサ９０２と、（ＭＥＭとして示されている）メモリ９０３とを含み得る。いくつかの実施形態では、ワイヤレス通信デバイス１０００は、限定はしないが、（Ｉ／Ｏとして示されている）入出力インターフェース１００１と、（ＰＲＯＣとして示されている）プロセッサ１００２と、（ＭＥＭとして示されている）メモリ１００３とを含み得る。
【００９９】
メモリ９０３およびメモリ１００３は、揮発性（たとえばＲＡＭ）および／または不揮発性メモリ（たとえばハードディスクまたはフラッシュメモリ）を備え得る。いくつかの実施形態では、メモリ９０３およびメモリ１００３は、プロセッサ９０２およびプロセッサ１００２によって実行されたとき、プロセッサに上述の方法のいずれかを行わせる、コンピュータプログラムを記憶するように設定され得る。そのようなメモリ９０３または１００３とのプロセッサ９０２または１００２の組合せは、処理回路と呼ばれることがあり、メモリ９０３または１００３が本明細書で説明される技法のうちの１つまたは複数を行うためのコンピュータプログラムを記憶するとき、処理回路は、それによりそれらの１つまたは複数の技法を行うように設定されることが諒解されよう。別の実施形態では、コンピュータプログラムは、遠隔ロケーション、たとえば（ＰＲＯＧＲＡＭとして示されている）コンピュータプログラム製品９０４および１００４に記憶され得、たとえばキャリア９０５および１００５を介してプロセッサ９０２および１００２によってアクセス可能であり得る。
【０１００】
コンピュータプログラム製品は、リムーバブルコンピュータ可読媒体、たとえばディスケット、ＣＤ（コンパクトディスク）、ＤＶＤ（デジタルビデオディスク）、フラッシュもしくは同様のリムーバブルメモリ媒体（たとえばコンパクトフラッシュ、ＳＤセキュアデジタル、メモリースティック、ミニＳＤ、ＭＭＣマルチメディアカード、スマートメディア）、ＨＤ−ＤＶＤ（高精細度ＤＶＤ）、またはＢｌｕｒａｙ  ＤＶＤ、ＵＳＢ（ユニバーサルシリアルバス）ベースリムーバブルメモリ媒体、磁気テープ媒体、光記憶媒体、光磁気媒体、バブルメモリ上に分散されおよび／またはそれらに記憶され得るか、あるいはネットワーク（たとえばイーサネット、ＡＴＭ、ＩＳＤＮ、ＰＳＴＮ、Ｘ．２５、インターネット、ローカルエリアネットワーク（ＬＡＮ）、またはインフラストラクチャノードにデータパケットをトランスポートすることが可能な同様のネットワーク）を介して、伝搬された信号として分散され得る。
【０１０１】
上記で詳細に説明されたいくつかの実施形態は、ＬＴＥについて説明された。しかしながら、実施形態は、ＵＥが、たとえばＬＴＥ  ＦＤＤ／ＴＤＤ、ＷＣＤＭＡ／ＨＳＰＡ、ＧＳＭ／ＧＥＲＡＮ、ＷｉＦｉ、ＷＬＡＮ、ＣＤＭＡ２０００、ＮＲなど、信号（たとえばデータ）を受信および／または送信する、任意のＲＡＴまたはマルチＲＡＴシステムに適用可能である。ネットワークノードは、２つ以上のセルを使用する、たとえばＰＣｅｌｌ、ＳＣｅｌｌ、ＰＳＣｅｌｌを使用する動作のために設定され得る。
【０１０２】
本明細書で開示される方法は、ネットワークノードとＵＥとの間で通信が行われる場合について例示されるが、同じ方法は、通信が少なくとも２つのノード、すなわち、ノード１とノード２との間で発生するときにも適用され得る。
【０１０３】
第１のノードの例としては、ノードＢ、ＭｅＮＢ、ＳｅＮＢ、ＭＣＧまたはＳＣＧに属するネットワークノード、基地局（ＢＳ）、ＭＳＲ  ＢＳなどの多規格無線（ＭＳＲ）無線ノード、ｅノードＢ、ネットワークコントローラ、無線ネットワークコントローラ（ＲＮＣ）、基地局コントローラ（ＢＳＣ）、リレー、ドナーノード制御リレー、基地トランシーバ局（ＢＴＳ）、アクセスポイント（ＡＰ）、送信ポイント、送信ノード、ＲＲＵ、ＲＲＨ、分散アンテナシステム（ＤＡＳ）におけるノード、コアネットワークノード（たとえばＭＳＣ、ＭＭＥなど）、Ｏ＆Ｍ、ＯＳＳ、ＳＯＮ、測位ノード（たとえばＥ−ＳＭＬＣ）、ＭＤＴなどがある。
【０１０４】
第２のノードの例としては、ターゲットデバイス、デバイスツーデバイス（Ｄ２Ｄ）ＵＥ、プロキシミティ対応ＵＥ（すなわち、ＰｒｏＳｅ  ＵＥ）、マシン型ＵＥまたはマシンツーマシン（Ｍ２Ｍ）通信が可能なＵＥ、ＰＤＡ、ＰＡＤ、タブレット、モバイル端末、スマートフォン、ラップトップ組込み装備（ＬＥＥ：ｌａｐｔｏｐ  ｅｍｂｅｄｄｅｄ  ｅｑｕｉｐｐｅｄ）、ラップトップ搭載機器（ＬＭＥ：ｌａｐｔｏｐ  ｍｏｕｎｔｅｄ  ｅｑｕｉｐｍｅｎｔ）、ＵＳＢドングルなどがある。
【０１０５】
（Ｄ２Ｄ、サイドリンクとしても知られる）ＰｒｏＳｅ動作の場合、通信は２つのＰｒｏＳｅ対応ＵＥ間で行われる。ＵＥによるＰｒｏＳｅ動作は、半二重モードにおけるものである、すなわちＵＥは、ＰｒｏＳｅ信号／チャネルを送信することまたはＰｒｏＳｅ信号／チャネルを受信することのいずれかを行うことができる。ＰｒｏＳｅ  ＵＥは、ＰｒｏＳｅリレーＵＥとしても働くことができ、そのタスクは、ＰｒｏＳｅ  ＵＥ間のいくつかの信号を中継するが、他のノード（たとえばネットワークノード）にもいくつかの信号を中継することである。また、ＰｒｏＳｅのための関連する制御情報があり、そのうちの一部がＰｒｏＳｅ  ＵＥによって送信され、残りがｅＮＢによって送信される（たとえば、セルラーダウンリンク制御チャネルを介して送信されるＰｒｏＳｅ通信のためのＰｒｏＳｅリソース許可）。ＰｒｏＳｅ送信は、ネットワークによって設定されたか、またはＰｒｏＳｅ  ＵＥによって自律的に選択されたリソース上で発生し得る。ＰｒｏＳｅ送信（たとえばＰＳＤＣＨ）は、連続するサブフレーム上で送信されるいくつかの（たとえば３つの）再送信を含む。再送信または繰返しが、良好なＳＤ−ＲＳＲＰ測定性能を達成するために必要とされる。ＳＤ−ＲＳＲＰ測定値は、ＰｒｏＳｅ  ＵＥによるＰｒｏＳｅリレー選択を実施するために使用される。
【０１０６】
ネットワークカバレッジの下で動作するＰｒｏＳｅ  ＵＥは、再送信／繰返しを採用すると同時にネットワークノードのタイミングに従い得る。現在の仕様によれば、ＰｒｏＳｅ  ＵＥは、タイミングアドバンスコマンド（ＴＡＣ）が利用可能である場合、ＴＡＣに従う。受信されたＴＡＣをいつ適用するべきかについての本明細書で提案されるルールがなければ、これは、受信ノード、たとえばこれらの送信信号に対する測定を実施するＵＥについて問題を生じ得る。この場合、ＰｒｏＳｅは、ＰｒｏＳｅ（サイドリンク）送信期間の始まりまで経過する必要があるサブフレームの数ｍを判定する。この数ｍが、受信されたＴＡＣが適用される数ｑ、たとえばレガシーＬＴＥの場合のようにｑ＝６、を超えるかまたはそれに等しい場合、ＰｒｏＳｅ  ＵＥは、第１のサイドリンク送信期間においてＴＡＣを適用し得る。一方、ｍがｑよりも小さい場合、ＰｒｏＳｅ  ＵＥは、その始まりがサブフレームｎ＋ｑの後である（すなわち連続するサブフレーム上のすべての再送信を含む）次のサイドリンク送信期間まで、ＴＡＣの適用を延期する。
【０１０７】
「備える、含む（ｃｏｍｐｒｉｓｉｎｇ）」または「含む（ｉｎｃｌｕｄｉｎｇ）」という単語は、列挙されている要素またはステップ以外の要素またはステップの存在を除外せず、要素に先行する「ａ」または「ａｎ」という単語は、そのような要素が複数存在することを除外するものではないことに留意されたい。本発明は、少なくとも部分的にハードウェア、ファームウェアまたはソフトウェアで実装され得る。いかなる参照符号も、特許請求の範囲を限定せず、いくつかの「手段」、「デバイス」、および「ユニット」は、ハードウェアの同じ項目によって表され得ることにさらに留意されたい。
【０１０８】
実施形態が本明細書で図示され、説明されたが、本技術の真の範囲から逸脱することなく、様々な変更および修正が行われ得、その要素の代わりに均等物が使用され得ることが当業者によって理解されよう。さらに、その中心範囲から逸脱することなく、特定の状況および本明細書の教示に適応するために多くの変更が行われ得る。それゆえ、本実施形態は、本技術を実行するために企図される最良の形態として開示される特定の実施形態に限定されないが、本実施形態は、添付の特許請求の範囲内に入るすべての実施形態を含むことが意図される。
【０１０９】
略語説明：
ＢＷ  帯域幅
ＣＥ  カバレッジ拡張
ＣＰ  サイクリックプレフィックス
ＤＣＩ  ダウンリンク制御情報
ＤＦＴ  離散フーリエ変換
ＤＭＲＳ  復調用参照信号
ＤＲＸ  間欠受信
ｅＭＴＣ  エボルブドＭＴＣ
ＥＵＴＲＡ（Ｎ）  拡張ユニバーサル地上無線アクセス（ネットワーク）
ＦＤＤ  周波数分割複信
ＧＥＲＡＮ  ＧＳＭ  ＥＤＧＥ無線アクセスネットワーク
ＧＳＭ  モバイル通信用グローバルシステム
ＨＡＲＱ  ハイブリッド自動再送要求
ＨＤ−ＦＤＤ  半二重ＦＤＤ
ＩｏＴ  モノのインターネット
ＬＴＥ  ＵＭＴＳのＬｏｎｇ  ｔｅｒｍ  ｅｖｏｌｕｔｉｏｎ
ＭＡＣ  メディアアクセス制御
ＭＩＢ  マスタ情報ブロック
Ｍ−ＰＤＣＣＨ  マシン型ＰＤＣＣＨ
ＭＴＣ  マシン型通信
ＮＢ−ＩｏＴ  狭帯域ＩｏＴ
ＮＢ−ＭＩＢ  狭帯域ＭＩＢ
ＮＢ−Ｍ−ＰＤＣＣＨ  狭帯域Ｍ−ＰＤＣＣＨ
ＮＢ−ＰＢＣＨ  狭帯域ＰＢＣＨ
ＮＢ−ＰＤＣＣＨ  狭帯域ＰＤＣＣＨ
ＮＢ−ＰＤＳＣＨ  狭帯域ＰＤＳＣＨ
ＮＢ−ＰＳＳ  狭帯域ＰＳＳ
ＮＢ−ＳＳＳ  狭帯域ＳＳＳ
ＮＢ−ＰＵＣＣＨ  狭帯域ＰＵＣＣＨ
ＮＢ−ＰＵＳＣＨ  狭帯域ＰＵＳＣＨ
ＮＴＡ  非時間整合
ＯＦＤＭ  直交周波数分割多重
ＰＡ  電力増幅器
ＰＢＣＨ  物理ブロードキャストチャネル
ＰＤＣＣＨ  物理ダウンリンク制御チャネル
ＰＤＳＣＨ  物理ダウンリンク共有チャネル
ＰＲＡＣＨ  物理ランダムアクセスチャネル
ＰＲＢ  物理リソースブロック
ＰＳＳ  １次同期信号
ＰＵＣＣＨ  物理アップリンク制御チャネル
ＰＵＳＣＨ  物理アップリンク共有チャネル
ＲＡ  ランダムアクセス
ＲＡＴ  無線アクセス技術
ＲＲＣ  無線リソース制御
Ｒｘ  受信（受信機）
ＳＲＳ  サウンディング参照信号
ＳＳＳ  ２次同期信号
ＴＡ  タイミングアドバンス
ＴＡＣ  タイミングアドバンスコマンド
ＴＡＧ  タイミングアドバンスグループ
ＴＤＤ  時分割複信
Ｔｘ  送信（送信機）
ＴＴＩ  送信時間間隔
ＵＥ  ユーザ機器
ＵＬ  アップリンク
【図１】
2020109969.tif 000003
【図２】
2020109969.tif 000004
【図３】
2020109969.tif 000005
【図４】
2020109969.tif 000006
【図５】
2020109969.tif 000007
【図６】
2020109969.tif 000008
【図７】
2020109969.tif 000009
【図８】
2020109969.tif 000010
【図９】
2020109969.tif 000011
【図１０】
2020109969.tif 000012
【手続補正書】
【提出日】令和2年3月24日(2020.3.24)
【手続補正１】
【補正対象書類名】特許請求の範囲
【補正対象項目名】全文
【補正方法】変更
【補正の内容】
【特許請求の範囲】
【請求項１】
拡張カバレッジモードにおいて動作するワイヤレス通信デバイスと通信しているネットワークノードにおける方法であって、前記拡張カバレッジモードが、前記ワイヤレス通信デバイスから前記ネットワークノードに送られるメッセージの連続繰返しを含み、前記方法は、
異なる繰返し期間（Ｔａ、Ｔｂ）をもつ複数のアップリンク信号を送信するように前記ワイヤレス通信デバイスを設定することと、
前記繰返し期間（Ｔａ、Ｔｂ）の重複時間が最大化されるかまたは前記複数のアップリンク信号の単一の送信が最小化されるように、前記繰返し期間（Ｔａ、Ｔｂ）の開始点または終了点のうちの少なくとも１つを時間的にシフトすることによって、前記繰返し期間を整合させるように前記ワイヤレス通信デバイスを設定することと
を含む、方法。
【請求項２】
前記繰返し期間（Ｔａ、Ｔｂ）が、以下のルール、すなわち、
前記繰返し期間を同時に開始するように整合させること、
前記繰返し期間を同時に終了するように整合させること、
前記繰返し期間をある持続時間内に開始するように整合させること、および
前記繰返し期間をある持続時間内に終了するように整合させること
のうちのいずれか１つから整合される、請求項１に記載の方法。
【請求項３】
前記方法が、
前記ワイヤレス通信デバイスによって使用されるべきタイミングアドバンスコマンド（ＴＡＣ）を生成することと、
前記ワイヤレス通信デバイスに前記ＴＡＣを送ることと
をさらに含む、請求項１または２に記載の方法。
【請求項４】
拡張カバレッジモードにおいて動作するワイヤレス通信デバイスとの通信において使用するためのネットワークノードであって、前記拡張カバレッジモードが、前記ワイヤレス通信デバイスから前記ネットワークノードに送られるメッセージの連続繰返しを含み、前記ネットワークノードは、
異なる繰返し期間（Ｔａ、Ｔｂ）をもつ複数のアップリンク信号を送信するように前記ワイヤレス通信デバイスを設定することと、
前記繰返し期間（Ｔａ、Ｔｂ）の重複時間が最大化されるかまたは前記複数のアップリンク信号の単一の送信が最小化されるように、前記繰返し期間（Ｔａ、Ｔｂ）の開始点または終了点のうちの少なくとも１つを時間的にシフトすることによって、前記繰返し期間を整合させるように前記ワイヤレス通信デバイスを設定することと
を行うように設定された処理回路を備える、ネットワークノード。
【請求項５】
前記繰返し期間（Ｔａ、Ｔｂ）が、以下のルール、すなわち、
前記繰返し期間を同時に開始するように整合させること、
前記繰返し期間を同時に終了するように整合させること、
前記繰返し期間をある持続時間内に開始するように整合させること、および
前記繰返し期間をある持続時間内に終了するように整合させること
のうちのいずれか１つに従って整合される、請求項４に記載のネットワークノード。
【請求項６】
前記処理回路が、前記ワイヤレス通信デバイスによって使用されるべきタイミングアドバンスコマンド（ＴＡＣ）を生成するようにさらに設定され、前記ネットワークノードが、前記ワイヤレス通信デバイスに前記生成されたＴＡＣを送るように設定された送信機をさらに備える、請求項４または５に記載のネットワークノード。
【外国語明細書】
2020109969000001.pdf